(57)【要約】本発明の照明装置１０は、シャーシ１３に組み付けられて電源基板１６と放電管１５との間の電力供給を中継する中継コネクタ１４を備えている。中継コネクタ１４は、シャーシ１３に取り付けられてなる絶縁性のホルダ２０と、電源基板１６と放電管１５に対して電気的に接続可能であって、ホルダ２０に取り付けられてなる中継端子３０とを備え、中継端子３０は、電源基板１６を弾性的に挟持することで電源基板１６との電気的接続を可能とする一対の弾性片部３４，３４を備えるとともに、一対の弾性片部３４，３４は、その長手方向がそれぞれ放電管１５の長手方向と交わる方向に形成されていることを特徴とする。
2010032664.tif 000002
【特許請求の範囲】
【請求項１】
シャーシと、
前記シャーシの第１面側に配された放電管と、
前記シャーシのうち前記放電管が配された側とは反対側に配され、前記放電管に対して電力を供給する電源基板と、
前記シャーシに組み付けられ、前記電源基板と前記放電管との間の電力供給を中継する中継コネクタと、を備え、
前記中継コネクタは、前記シャーシに取り付けられてなる絶縁性のホルダと、前記電源基板と前記放電管に対して電気的に接続可能であって、前記ホルダに取り付けられてなる中継端子と、を備え、
前記中継端子は、前記電源基板を弾性的に挟持することで前記電源基板との電気的接続を可能とする弾性片部を備えるとともに、前記弾性片部は、その長手方向が前記放電管の長手方向に対して角度を成して形成されていることを特徴とする照明装置。
【請求項２】
前記弾性片部は、その長手方向が前記放電管の長手方向に対して概ね垂直な方向に形成されていることを特徴とする請求の範囲第１項に記載の照明装置。
【請求項３】
前記弾性片部は、その長手方向が、前記シャーシの第２面に沿って延在するように形成されていることを特徴とする請求の範囲第１項又は請求の範囲第２項に記載の照明装置。
【請求項４】
前記中継端子は、前記放電管との電気的接続をなす放電管側接続部と、前記電源基板との電気的接続をなす電源基板側接続部と、これら放電管側接続部と電源基板側接続部との間に介在する中継部とを備えてなり、
前記電源基板側接続部が、前記弾性片部を備え、
前記中継部は、前記ホルダ内に配されて板状に構成されており、前記弾性片部の長手方向に沿って形成される当該弾性片部の板面と同一面上の板面を有することを特徴とする請求の範囲第１項から請求の範囲第３項のいずれか１項に記載の照明装置。
【請求項５】
前記弾性片部により前記電源基板を挟持して前記電源基板と前記中継端子との電気的接続を行った状態で、前記電源基板のうち当該電源基板の端部から当該電源基板の内側に偏在した位置を挟持してなることを特徴とする請求の範囲第１項から請求の範囲第４項のいずれか１項に記載の照明装置。
【請求項６】
前記ホルダは、前記電源基板と嵌合するホルダ壁部を有し、
前記電源基板は、前記ホルダ壁部と嵌合する凹部を備えるとともに、前記ホルダ壁部と前記凹部との嵌合に伴い、前記弾性片部に対する挟持が実現される構成を有することを特徴とする請求の範囲第１項から請求の範囲第６項のいずれか１項に記載の照明装置。
【請求項７】
前記ホルダは、前記電源基板の挿入を許容する挿入開口部を備え、
前記挿入開口部は、互いに直行する２方向に開口した開口部を有してなり、
前記ホルダ壁部は、前記挿入開口部に架渡されてなることを特徴とする請求の範囲第６項に記載の照明装置。
【請求項８】
前記ホルダ壁部は、前記挿入開口部に対する前記電源基板の挿入をガイドする先細り状のテーパ部を有してなることを特徴とする請求の範囲第７項に記載の照明装置。
【請求項９】
前記ホルダは、前記挿入開口部の開口手前側に、前記挿入開口部に対する前記電源基板の挿入をガイドするガイド部を備えることを特徴とする請求の範囲第７項又は請求の範囲第８項に記載の照明装置。
【請求項１０】
前記ガイド部は、前記挿入開口部に連なる傾斜面を有することを特徴とする請求の範囲第９項に記載の照明装置。
【請求項１１】
前記ガイド部は、前記電源基板を前記挿入開口部に挿入する際に、前記電源基板の表面のうち前記シャーシと対向する側の表面が、当該ガイド部に沿って移動可能なように配設されてなることを特徴とする請求の範囲第９項又は請求の範囲第１０項に記載の照明装置。
【請求項１２】
前記ガイド部は、第１のガイド部と第２のガイド部とを含み、
前記第１のガイド部は、前記電源基板を前記挿入開口部に挿入する際に、前記電源基板の表面のうち前記シャーシと対向する側の表面が、当該第１のガイド部に沿って移動可能なように配設され、
前記第２のガイド部は、前記電源基板の表面のうち前記シャーシと対向しない側の表面が、当該第２のガイド部に沿って移動可能なように配設されており、
前記第１のガイド部におけるガイド長が、前記第２のガイド部のガイド長よりも、大きく構成されてなることを特徴とする請求の範囲第９項又は請求の範囲第１０項に記載の照明装置。
【請求項１３】
前記電源基板は、その基板の表裏両面において、前記弾性片部に対して電気的に接続される端子部が形成されていることを特徴とする請求の範囲第１項から請求の範囲第１２項のいずれか１項に記載の照明装置。
【請求項１４】
前記電源基板は、前記弾性片部に対して電気的に接続される端子部を備える一方、
前記端子部は、前記電源基板のうち前記弾性片部に把持される部分において、その部分における前記弾性片部の長手方向の中心位置から偏在した位置に配されてなることを特徴とする請求の範囲第１項から請求の範囲第１３項のいずれか１項に記載の照明装置。
【請求項１５】
前記電源基板は、前記弾性片部に対して電気的に接続される端子部を備える一方、
前記端子部と電気的に接続される弾性片部は、第１次的に前記端子部と接触する第１次接触部と、第２次的に前記端子部と接触する第２次接触部とを備え、
前記第２次接触部は、第１次的には前記端子部とは接触せず、前記第１次接触部又は前記端子部の少なくとも一方が後退するに伴って第２次的に前記端子部と接触する構成を有することを特徴とする請求の範囲第１項から請求の範囲第１４項のいずれか１項に記載の照明装置。
【請求項１６】
前記電源基板は、前記弾性片部に対して電気的に接続される端子部を備える一方、
前記端子部と電気的に接続される弾性片部は、第１次的に前記端子部と接触する第１次接触部と、第２次的に前記端子部と接触する第２次接触部とを備え、
前記第２次接触部は、第１次的には前記端子部とは接触せず、前記第１次接触部又は前記端子部の少なくとも一方が薄肉化するに伴って第２次的に前記端子部と接触する構成を有することを特徴とする請求の範囲第１項から請求の範囲第１４項のいずれか１項に記載の照明装置。
【請求項１７】
前記電源基板は、前記弾性片部に対して電気的に接続される端子部を備える一方、
前記端子部と電気的に接続される弾性片部は、第１次的に前記端子部と接触する第１次接触部と、第２次的に前記端子部と接触する第２次接触部とを備え、
前記第２次接触部は、第１次的には前記端子部とは接触せず、前記第１次接触部又は前記端子部の少なくとも一方が磨耗するに伴って第２次的に前記端子部と接触する構成を有することを特徴とする請求の範囲第１項から請求の範囲第１４項のいずれか１項に記載の照明装置。
【請求項１８】
前記電源基板は、前記弾性片部に対して電気的に接続される端子部を備える一方、
前記端子部と電気的に接続される弾性片部は、第１次的に前記端子部と接触する第１次接触部と、第２次的に前記端子部と接触する第２次接触部とを備え、
前記第２次接触部は、第１次的には前記端子部とは接触せず、前記端子部が磨耗するに伴って第２次的に前記端子部と接触する構成を有することを特徴とする請求の範囲第１項から請求の範囲第１４項のいずれか１項に記載の照明装置。
【請求項１９】
前記第１次接触部と前記第２次接触部は、それぞれ前記端子部側に突出した形状を有してなり、前記第１次接触部が前記第２次接触部よりも前記端子部側に大きく突出してなることを特徴とする請求の範囲第１５項から請求の範囲第１８項のいずれか１項に記載の照明装置。
【請求項２０】
前記第１次接触部が前記第２次接触部よりも突出する突出嵩は、前記端子部の厚さよりも小さいことを特徴とする請求の範囲第１９項に記載の照明装置。
【請求項２１】
前記弾性片部がステンレスからなることを特徴とする請求の範囲第１項から請求の範囲第２０項のいずれか１項に記載の照明装置。
【請求項２２】
シャーシの正面側に配置される放電管に対し、前記シャーシの背面側に配置される電源基板からの電力を供給するための中継コネクタであって、
前記シャーシに組み付けられてなる絶縁性のホルダと、前記放電管と前記電源に対して電気的に接続可能であって、前記ホルダに取り付けられてなる中継端子とを備え、
前記中継端子は、前記電源基板を弾性的に挟持することで前記電源基板との電気的接続を可能とする弾性片部を備え、
前記弾性片部は、その長手方向が前記放電管の長手方向に対して角度を成すように構成されてなることを特徴とする中継コネクタ。
【請求項２３】
前記弾性片部は、その長手方向が前記放電管の長手方向に対して垂直となるように構成されてなることを特徴とする請求の範囲第２２項に記載の中継コネクタ。
【請求項２４】
前記弾性片部は、その長手方向が、前記シャーシの背面に沿って延在するように形成されていることを特徴とする請求の範囲第２２項又は請求の範囲第２３項に記載の中継コネクタ。
【請求項２５】
前記中継端子は、前記放電管との電気的接続をなす放電管側接続部と、前記電源基板との電気的接続をなす電源基板側接続部と、これら放電管側接続部と電源基板側接続部との間に介在する中継部とを備えてなり、
前記電源基板側接続部は、前記弾性片部を備えるとともに、
前記中継部は、前記ホルダ内に配されて板状に構成されており、前記弾性片部の長手方向に沿って形成される当該弾性片部の板面と同一面上の板面を有することを特徴とする請求の範囲第２２項から請求の範囲第２４項に記載の中継コネクタ。
【請求項２６】
前記ホルダは、前記電源基板と嵌合可能なホルダ壁部を有し、前記ホルダ壁部と前記電源基板に設けられた凹部との嵌合に伴い、前記弾性片部に対する前記電源基板の挟持が実現される構成を有することを特徴とする請求の範囲第２２項から請求の範囲第２５項のいずれか１項に記載の中継コネクタ。
【請求項２７】
前記ホルダは、前記電源基板の挿入を許容する挿入開口部を備え、
前記挿入開口部は、互いに直行する２方向に開口した開口部を有してなり、
前記ホルダ壁部は、前記挿入開口部に架渡されてなることを特徴とする請求の範囲第２６項に記載の中継コネクタ。
【請求項２８】
前記ホルダ壁部は、前記挿入開口部に対する前記電源基板の挿入をガイドする先細り状のテーパ部を有してなることを特徴とする請求の範囲第２７項に記載の中継コネクタ。
【請求項２９】
前記ホルダは、前記挿入開口部の開口手前側に、前記挿入開口部に対する前記電源基板の挿入をガイドするガイド部を備えることを特徴とする請求の範囲第２７項又は請求の範囲第２８項に記載の中継コネクタ。
【請求項３０】
前記ガイド部は、前記挿入開口部に連なる傾斜面を有することを特徴とする請求の範囲第２９項に記載の中継コネクタ。
【請求項３１】
前記ガイド部は、前記電源基板を前記挿入開口部に挿入する際に、前記電源基板の表面のうち前記シャーシと対向する側の表面が、当該ガイド部に沿って移動可能なように配設されてなることを特徴とする請求の範囲第２９項又は請求の範囲第３０項に記載の中継コネクタ。
【請求項３２】
前記ガイド部は、第１のガイド部と第２のガイド部とを含み、
前記第１のガイド部は、前記電源基板を前記挿入開口部に挿入する際に、前記電源基板の表面のうち前記シャーシと対向する側の表面が、当該第１のガイド部に沿って移動可能なように配設され、
前記第２のガイド部は、前記電源基板の表面のうち前記シャーシと対向しない側の表面が、当該第２のガイド部に沿って移動可能なように配設されており、
前記第１のガイド部におけるガイド長が、前記第２のガイド部のガイド長よりも、大きく構成されてなることを特徴とする請求の範囲第２９項又は請求の範囲第３０項に記載の中継コネクタ。
【請求項３３】
前記弾性片部は、前記電源基板の端子部と電気的に接続されるものであって、第１次的に前記端子部と接触する第１次接触部と、第２次的に前記端子部と接触する第２次接触部とを備え、
前記第２次接触部は、第１次的には前記端子部とは接触せず、前記第１次接触部又は前記端子部の少なくとも一方が後退するに伴って第２次的に前記端子部と接触する構成を有することを特徴とする請求の範囲第２２項から請求の範囲第３２項のいずれか１項に記載の中継コネクタ。
【請求項３４】
前記弾性片部は、前記電源基板の端子部と電気的に接続されるものであって、第１次的に前記端子部と接触する第１次接触部と、第２次的に前記端子部と接触する第２次接触部とを備え、
前記第２次接触部は、第１次的には前記端子部とは接触せず、前記第１次接触部又は前記端子部の少なくとも一方が薄肉化するに伴って第２次的に前記端子部と接触する構成を有することを特徴とする請求の範囲第２２項から請求の範囲第３２項のいずれか１項に記載の中継コネクタ。
【請求項３５】
前記弾性片部は、前記電源基板の端子部と電気的に接続されるものであって、第１次的に前記端子部と接触する第１次接触部と、第２次的に前記端子部と接触する第２次接触部とを備え、
前記第２次接触部は、第１次的には前記端子部とは接触せず、前記第１次接触部又は前記端子部の少なくとも一方が磨耗するに伴って第２次的に前記端子部と接触する構成を有することを特徴とする請求の範囲第２２項から請求の範囲第３２項のいずれか１項に記載の中継コネクタ。
【請求項３６】
前記弾性片部は、前記電源基板の端子部と電気的に接続されるものであって、第１次的に前記端子部と接触する第１次接触部と、第２次的に前記端子部と接触する第２次接触部とを備え、
前記第２次接触部は、第１次的には前記端子部とは接触せず、前記端子部が磨耗するに伴って第２次的に前記端子部と接触する構成を有することを特徴とする請求の範囲第２２項から請求の範囲第３２項のいずれか１項に記載の中継コネクタ。
【請求項３７】
前記第１次接触部と前記第２次接触部は、それぞれ前記端子部側に突出した形状を有してなり、前記第１次接触部が前記第２次接触部よりも前記端子部側に大きく突出してなることを特徴とする請求の範囲第３３項から請求の範囲第３６項のいずれか１項に記載の中継コネクタ。
【請求項３８】
前記第１次接触部が前記第２次接触部よりも突出する突出嵩は、前記端子部の厚さよりも小さいことを特徴とする請求の範囲第３７項に記載の中継コネクタ。
【請求項３９】
請求の範囲第１項から請求の範囲第２１項のいずれか１項に記載の照明装置と、前記照明装置からの光を利用して表示を行う表示パネルと、を備えることを特徴とする表示装置。
【請求項４０】
前記表示パネルが液晶を用いた液晶パネルであることを特徴とする請求の範囲第３９項に記載の表示装置。
【請求項４１】
請求の範囲第３９項又は請求の範囲第４０項に記載の表示装置を備えることを特徴とするテレビ受信装置。
【発明の詳細な説明】
【技術分野】
【０００１】
本発明は、照明装置、中継コネクタ、表示装置、及びテレビ受信装置に関するものである。
【背景技術】
【０００２】
液晶表示装置は、液晶パネルと、この液晶パネルに照明光を供給する光源と、を含んでいる。特許文献１には、光源とインバータ回路との間の電気的な接続を達成すべく、複合コンタクトを採用した液晶表示装置が提案されている。
【特許文献１】特開２００７−２５７８７７公報
【０００３】
（発明が解決しようとする課題）
上記特許文献１で用いられている複合コンタクト（１６）は、金属等の導電部材からなる単一の部材にて、一体の板状部材として形成され、主体部（３１）と、主体部（３１）から延設された一対の第１の弾性片部（３２，３３）と、主体部（３１）から延設された一対の第２の弾性片部（３４，３５）とを含んでいる。
第１の弾性片部（３２，３３）は、冷陰極管の長手方向に対して垂直方向に細長い形状を有し、冷陰極管（光源）との電気的接続を行うべく、冷陰極管（光源）のアウターリードとの間で弾性接触が可能とされている。第２の弾性片部（３４，３５）は、冷陰極管の長手方向に沿って細長い形状を有し、回路基板との電気的接続を行うべく、回路基板の表裏の導体パターンとの間で弾性接触が可能とされている。【０００４】
複合コンタクト（１６）は、樹脂製のハウジングに保持されてコネクタを構成している。このようなコネクタは、各冷陰極管の端部を保持すべく、液晶表示装置の端部（非表示部）に複数配置されている。この場合、少なくとも第２の弾性片部（３４，３５）が細長い形状を有していること等に起因し、各コネクタのハウジングは冷陰極管の長手方向に沿って大きくなってしまう可能性がある。そうすると、液晶表示装置において、非表示部分（つまり額縁部分）が大面積化し、昨今望まれている表示領域の大面積化に背くものとなる。
【発明の開示】
【０００５】
本発明は、放電管と電源基板とを簡便且つ確実に接続可能とするとともに、高電圧部分の面積を小さくすることが可能な、特に放電管の長手方向において高電圧部分の面積を小さくすることが可能で、狭額縁化を実現可能な照明装置を提供することを目的としている。また、本発明は、そのような照明装置を実現可能な中継コネクタ、さらに、そのような照明装置を備え、表示領域の大面積化を実現できる表示装置、及びテレビ受信装置を提供することを目的としている。
【０００６】
（課題を解決するための手段）
上記課題を解決するために、本発明の照明装置は、シャーシと、前記シャーシの第１面側に配された放電管と、前記シャーシのうち前記放電管が配された側とは反対側に配され、前記放電管に対して電力を供給する電源基板と、前記シャーシに組み付けられ、前記電源基板と前記放電管との間の電力供給を中継する中継コネクタと、を備え、前記中継コネクタは、前記シャーシに取り付けられてなる絶縁性のホルダと、前記電源基板と前記放電管に対して電気的に接続可能であって、前記ホルダに取り付けられてなる中継端子と、を備え、前記中継端子は、前記電源基板を弾性的に挟持することで前記電源基板との電気的接続を可能とする弾性片部を備えるとともに、前記弾性片部は、その長手方向が前記放電管の長手方向に対して角度を成して形成されていることを特徴とする。
【０００７】
このような照明装置によると、中継端子のうち電源基板との電気的接続を可能とする弾性片部を、その長手方向が放電管の長手方向と角度を成して形成しているため、弾性片部の長手方向に沿った高電圧部分が、放電管の長手方向と交わる方向に形成されることとなり、その結果、放電管の長手方向における高電圧部分の面積を小さくすることが可能となる。なお、放電管の長手方向と交わる方向は、例えば放電管を並列して配置する照明装置においては、中継端子が並列して形成されることとなり、その並列方向に沿ってそもそも高電圧部分が連設されており、弾性片部の長手方向が、該放電管の長手方向と交わる方向に指向されたとしても、高電圧部分の大面積化に繋がるものでない。そして、このような照明装置を液晶表示装置等の表示装置に用いた場合、高電圧部分が大面積化されないため、周辺の非表示部分（つまり額縁部分）が大面積化することなく、ひいては表示領域の大面積化を実現することが可能となる。
なお、弾性片部を一片により構成し、他の部材（例えば樹脂部材等でも良く、弾性を持たない部材であっても良い）との間で電源基板を弾性的に挟持する構成としても良く、或いは一対の弾性片部により構成し、これら一対の弾性片部により電源基板を弾性的に挟持する構成としても良い。
【０００８】
前記弾性片部は、その長手方向が前記放電管の長手方向に対して垂直な方向に形成されているものとすることができる。
このように、弾性片部の長手方向を放電管の長手方向と垂直な方向に形成すれば、高電圧部分の面積を一層小さくすることが可能となる。
【０００９】
前記中継端子は、前記放電管との電気的接続をなす放電管側接続部と、前記電源基板との電気的接続をなす電源基板側接続部と、これら放電管側接続部と電源基板側接続部との間に介在する中継部とを備えてなり、前記電源基板側接続部は、前記弾性片部を備えるとともに、前記中継部は、前記ホルダ内に配されて前記弾性片部の長手方向を同一面上に含む板面を有した板状に構成されているものとすることができる。
このように、弾性片部の長手方向と同一面上の板面を有した板状にて中継部を構成することで、該中継部から弾性片部に至る構成を最小化することができる。また、このような板状の中継部をホルダに配することで、屈曲した部分を有する中継部を採用した場合に比して、中継部及びホルダの構成が簡便化し、さらには中継部とホルダとの間に形成される隙間を容易に最小化することが可能となるため、例えば粉塵等が中継コネクタを介して放電管と電源基板との間で挿通する不具合を解消可能となる。
【００１０】
前記弾性片部により前記電源基板を挟持して前記電源基板と前記中継端子との電気的接続を行った状態で、前記電源基板の端部が、前記弾性片部から突出してなるものとすることができる。
このように電源基板の端部を弾性片部から突出するものとすることで、弾性片部による電源基板の挟持を一層確実なものとすることができ、これらの電気的接続も一層確実なものとすることが可能となり得る。また、高電圧部分が電源基板の内側に配されることとなり、すなわち高電圧部分が照明装置の端部に配されることがないため、漏電ないし感電等が生じ難いものとなる。
【００１１】
前記ホルダは、前記電源基板と嵌合するホルダ壁部を有し、前記電源基板は、前記ホルダ壁部と嵌合する凹部を備えるとともに、前記ホルダ壁部と前記凹部との嵌合に伴い、前記弾性片部に対する挟持が実現される構成を有するものとすることができる。
このようにホルダ側において電源基板の位置決めを行い、その位置決めにより弾性片部に対する電源基板の挟持が実現されるものとすれば、電源基板の位置決めが容易となり、特にホルダ（ホルダ壁部）に比して薄肉の弾性片部が変形する等の不具合が生じ難いものとなる。
【００１２】
前記ホルダは、前記電源基板の挿入を許容する挿入開口部を備え、前記挿入開口部は、互いに直行する２方向に開口した開口部を有してなり、前記ホルダ壁部は、前記挿入開口部に架渡されてなるものとすることができる。
このようにホルダ壁部を挿入開口部に架渡した構成とすることで、挿入開口部に対する電源基板（凹部が形成された部分と異なる部分）の挿入がガイドとなって、ホルダ壁部と電源基板の凹部との嵌合を容易に実現することが可能となる。
【００１３】
前記ホルダ壁部は、前記挿入開口部に対する前記電源基板の挿入をガイドする先細り状のテーパ部を有してなるものとすることができる。
この場合、挿入開口部に対する電源基板（凹部が形成された部分と異なる部分）の挿入が容易となり、ホルダ壁部と電源基板の凹部との嵌合を一層容易に実現することが可能となる。
【００１４】
前記ホルダは、前記挿入開口部の手前側に、前記挿入開口部に対する前記電源基板の挿入をガイドするガイド部を備えるものとすることができる。
この場合、挿入開口部に対する電源基板の挿入が容易となり、ホルダに対する電源基板の組付けを簡便且つ確実に実現することが可能となる。具体的には、前記ガイド部は、前記挿入開口部に連なる傾斜面を有するものとし、その傾斜面に電源基板を押さえつけつつ、傾斜面に沿って電源基板を移動させることで、挿入開口部に対して電源基板を極めて容易に挿入できるようになる。なお、前記ガイド部は、前記シャーシ側に配設されてなることが好ましく、前記シャーシ側と、前記シャーシ側とは反対の位置側とのそれぞれに対向した形で配設された場合には、前記シャーシ側に配設されたガイド部が、前記シャーシ側とは反対の位置側に配設されたガイド部よりも、その誘導長が大きく構成されてなることが好ましい。このようにシャーシ側に、若しくはシャーシ側に誘導長が大きいガイド部を形成すると、電源基板をそのシャーシ側のガイド部に宛がって移動させることができ、挿入を一層容易にすることが可能となる。
【００１５】
前記電源基板は、その基板の表裏両面において、前記弾性片部に対して電気的に接続される端子部が形成されているものとすることができる。この場合、より確実な弾性片部との間で確実な電気的導通を確保することが可能となる。
また、前記電源基板は、前記弾性片部に対して電気的に接続される端子部を備える一方、前記端子部は、前記電源基板のうち前記弾性片部に把持される部分において、その部分における前記弾性片部の長手方向の中心位置から偏在した位置に配されてなるものとすることができる。これにより、隣り合う中継コネクタの間隔を大きくとった状態で、中継コネクタの大きさを小さくした場合でも、確実に中継コネクタとの接続を実現することが可能となる。
【００１６】
前記電源基板は、前記弾性片部に対して電気的に接続される端子部を備える一方、前記端子部と電気的に接続される弾性片部は、第１次的に前記端子部と接触する第１次接触部と、第２次的に前記端子部と接触する第２次接触部とを備え、前記第２次接触部は、第１次的には前記端子部とは接触せず、前記第１次接触部又は前記端子部の少なくとも一方が後退するに伴って第２次的に前記端子部と接触する構成を有するものとすることができる。
また、異なる態様として、前記第２次接触部は、第１次的には前記端子部とは接触せず、前記第１次接触部又は前記端子部の少なくとも一方が薄肉化、或いは磨耗するに伴って第２次的に前記端子部と接触する構成を有するものとすることができ、特に前記端子部が磨耗するに伴って第２次的に前記端子部と接触する構成を有することが好ましい。
このように、第１次接触部の補完的な接触部として第２次接触部を設けることで、すなわち第１次接触部の端子部に対する接触が不確実ないし不良（非接触）となるような場合に、第２次接触部が端子部に接触するような構成とすることで、磨耗等の経時変化に伴う接触不良等に好適に耐え得るものとなる。
【００１７】
前記第１次接触部と前記第２次接触部は、それぞれ前記端子部側に突出した形状を有してなり、前記第１次接触部が前記第２次接触部よりも前記端子部側に大きく突出してなるものとすることができる。
また、前記第１次接触部が前記第２次接触部よりも突出する突出嵩は、前記端子部の厚さよりも小さいものとすることができる。
このような構成により、磨耗等の経時変化に伴う接触不良等に一層好適に耐え得るものとなる。
【００１８】
前記弾性片部はステンレスからなるものとすることができる。ステンレスは熱伝導率が低く、したがって放電管からの熱が電源基板側に移動し難いものとなる。その結果、電源基板に設けられた温度に弱い電気回路や銅などのパターン（端子部）、さらには電源基板上に施されたメッキ等に対する温度伝達によるダメージを抑制することが可能となる。さらに、電源基板に対する熱移動が生じ難くなることから、そのような熱移動の問題を考慮する必要がなくなり、放電管の大電流化が可能となって、放電管の本数制限も小さいものとなる。
【００１９】
次に、上記課題を解決するために、本発明の中継コネクタは、シャーシの正面側に配置される放電管に対し、前記シャーシの背面側に配置される電源基板からの電力を供給するための中継コネクタであって、前記シャーシに組み付けられてなる絶縁性のホルダと、前記放電管と前記電源に対して電気的に接続可能であって、前記ホルダに取り付けられてなる中継端子とを備え、前記中継端子は、前記電源基板を弾性的に挟持することで前記電源基板との電気的接続を可能とする弾性片部を備え、前記弾性片部は、その長手方向が前記放電管の長手方向に対して角度を成すように構成されてなることを特徴とする。
【００２０】
このような中継コネクタによると、中継端子のうち電源基板との電気的接続を可能とする弾性片部を、その長手方向が放電管の長手方向と角度を成すように構成しているため、シャーシに組み付けて使用する際には、弾性片部の長手方向に沿った高電圧部分が、放電管の長手方向と交わる方向に形成されることとなり、その結果、放電管の長手方向における高電圧部分の面積を小さくすることが可能となる。なお、放電管の長手方向と交わる方向は、例えば放電管を並列して配置する場合においては、中継端子が並列して形成されることとなり、その並列方向に沿ってそもそも高電圧部分が連設されており、弾性片部の長手方向が、該放電管の長手方向と交わる方向に指向されたとしても、高電圧部分の大面積化に繋がるものでない。そして、このような中継コネクタを用いた照明装置を液晶表示装置等の表示装置に用いた場合、高電圧部分が大面積化されないため、周辺の非表示部分（つまり額縁部分）が大面積化することなく、ひいては表示領域の大面積化を実現することが可能となる。
【００２１】
前記弾性片部は、その長手方向が前記放電管の長手方向に対して垂直となるように構成されてなるものとすることができる。
このように、弾性片部の長手方向が放電管の長手方向に対して垂直な方向となるように形成すれば、高電圧部分の面積を一層小さくすることが可能となる。
【００２２】
前記中継端子は、前記放電管との電気的接続をなす放電管側接続部と、前記電源基板との電気的接続をなす電源基板側接続部と、これら放電管側接続部と電源基板側接続部との間に介在する中継部とを備えてなり、前記電源基板側接続部は、前記弾性片部を備えるとともに、前記中継部は、前記ホルダ内に配されて前記弾性片部の長手方向を同一面上に含む板面を有した板状に構成されているものとすることができる。
このように、弾性片部の長手方向を同一面上に含む板面を有した板状にて中継部を構成することで、該中継部から弾性片部に至る構成を最小化することができる。また、このような板状の中継部をホルダに配することで、屈曲した部分を有する中継部を採用した場合に比して、中継部及びホルダの構成が簡便化し、さらには中継部とホルダとの間に形成される隙間を容易に最小化することが可能となるため、例えば粉塵等が中継コネクタを介して放電管と電源基板との間で挿通する不具合を解消可能となる。  
【００２３】
前記ホルダは、前記電源基板と嵌合可能なホルダ壁部を有し、前記ホルダ壁部と前記電源基板に設けられた凹部との嵌合に伴い、前記弾性片部に対する前記電源基板の挟持が実現される構成を有するものとすることができる。
このようにホルダ側において電源基板の位置決めを行い、その位置決めにより弾性片部に対する電源基板の挟持が実現されるものとすれば、電源基板の位置決めが容易となり、特にホルダ（ホルダ壁部）に比して薄肉の弾性片部が変形する等の不具合が生じ難いものとなる。
【００２４】
前記ホルダは、前記電源基板の挿入を許容する挿入開口部を備え、前記挿入開口部は、互いに直行する２方向に開口する開口部を有してなり、前記ホルダ壁部は、前記挿入開口部に架渡されてなるものとすることができる。
このようにホルダ壁部を挿入開口部に架渡した構成とすることで、挿入開口部に対する電源基板（凹部が形成された部分と異なる部分）の挿入がガイドとなって、ホルダ壁部と電源基板の凹部との嵌合を容易に実現することが可能となる。
【００２５】
前記ホルダ壁部は、前記挿入開口部に対する前記電源基板の挿入をガイドする先細り状のテーパ部を有してなるものとすることができる。
この場合、挿入開口部に対する電源基板（凹部が形成された部分と異なる部分）の挿入が容易となり、ホルダ壁部と電源基板の凹部との嵌合を一層容易に実現することが可能となる。
【００２６】
前記ホルダは、前記挿入開口部の手前側に、前記挿入開口部に対する前記電源基板の挿入をガイドするガイド部を備えるものとすることができる。
この場合、挿入開口部に対する電源基板の挿入が容易となり、ホルダに対する電源基板の組付けを簡便且つ確実に実現することが可能となる。具体的には、前記ガイド部は、前記挿入開口部に連なる傾斜面を有するものとし、その傾斜面に電源基板を押さえつけつつ、傾斜面に沿って電源基板を移動させることで、挿入開口部に対して電源基板を極めて容易に挿入できるようになる。なお、前記ガイド部は、前記シャーシ側に配設されてなることが好ましく、前記シャーシ側と、前記シャーシ側とは反対の位置側とのそれぞれに対向した形で配設された場合には、前記シャーシ側に配設されたガイド部が、前記シャーシ側とは反対の位置側に配設されたガイド部よりも、その誘導長が大きく構成されてなることが好ましい。このようにシャーシ側に、若しくはシャーシ側に誘導長が大きいガイド部を形成すると、電源基板をそのシャーシ側のガイド部に宛がって移動させることができ、挿入を一層容易にすることが可能となる。
【００２７】
前記弾性片部は、前記電源基板の端子部と電気的に接続されるものであって、第１次的に前記端子部と接触する第１次接触部と、第２次的に前記端子部と接触する第２次接触部とを備え、前記第２次接触部は、第１次的には前記端子部とは接触せず、前記第１次接触部又は前記端子部の少なくとも一方が後退するに伴って第２次的に前記端子部と接触する構成を有するものとすることができる。
また、異なる態様として、前記第２次接触部は、第１次的には前記端子部とは接触せず、前記第１次接触部又は前記端子部の少なくとも一方が薄肉化、或いは磨耗するに伴って第２次的に前記端子部と接触する構成を有するものとすることができ、特に前記端子部が磨耗するに伴って第２次的に前記端子部と接触する構成を有することが好ましい。
このように、第１次接触部の補完的な接触部として第２次接触部を設けることで、すなわち第１次接触部の端子部に対する接触が不確実ないし不良（非接触）となるような場合に、第２次接触部が端子部に接触するような構成とすることで、磨耗等の経時変化に伴う接触不良等に好適に耐え得るものとなる。
【００２８】
前記第１次接触部と前記第２次接触部は、それぞれ前記端子部側に突出した形状を有してなり、前記第１次接触部が前記第２次接触部よりも前記端子部側に大きく突出してなるものとすることができる。
また、前記第１次接触部が前記第２次接触部よりも突出する突出嵩は、前記端子部の厚さよりも小さいものとすることができる。
このような構成により、磨耗等の経時変化に伴う接触不良等に一層好適に耐え得るものとなる。
【００２９】
次に、上記課題を解決するために、本発明の表示装置は、上記照明装置と、前記照明装置からの光を利用して表示を行う表示パネルと、を備えることを特徴とする。また、本発明のテレビ受信装置は、上記表示装置を備えることを特徴とする。
このような表示装置ないしテレビ受信装置によると、表示領域の大面積化を実現することが可能となる。なお、表示パネルとしては、例えば液晶を用いた液晶パネルを採用することが好ましい。
【００３０】
（発明の効果）
本発明によると、放電管と電源基板とを簡便且つ確実に接続可能とするとともに、高電圧部分の面積を小さくすることが可能な、特に放電管の長手方向において高電圧部分の面積を小さくすることが可能な照明装置を提供可能となる。
【図面の簡単な説明】
【００３１】
【図１】図１は実施形態１におけるテレビ受信装置の分解斜視図である。
【図２】図２は表示装置の水平断面図である。
【図３】図３は照明装置の正面図である。
【図４】図４は照明装置の背面図である。
【図５】図５は照明装置の正面側斜視図である。
【図６】図６は照明装置の背面側斜視図である。
【図７】図７は電源基板のうちの回路基板の斜視図である。
【図８】図８は中継コネクタの正面図である。
【図９】図９は中継コネクタの背面図である。
【図１０】図１０は中継コネクタの右側面図である。
【図１１】図１１は中継コネクタの左側面図である。
【図１２】図１２は中継コネクタの平面図である。
【図１３】図１３は中継コネクタの底面図である。
【図１４】図１４は中継コネクタの第１斜視図である。
【図１５】図１５は中継コネクタの第２斜視図である。
【図１６】図１６はホルダの背面図である。
【図１７】図１７はホルダの側面図である。
【図１８】図１８はホルダの斜視図である。
【図１９】図１９は中継端子の第１斜視図である。
【図２０】図２０は中継端子の第２斜視図である。
【図２１】図２１は中継端子のホルダに対する組付態様を示す第１斜視図である。
【図２２】図２２は中継端子のホルダに対する組付態様を示す第２斜視図である。
【図２３】図２３は回路基板を中継コネクタに対して接続させる態様について示す説明図である。
【図２４】図２４は回路基板と中継端子との接続関係を示す説明図である。
【図２５】図２５は放電管の全体構成を示す斜視図である。
【図２６】図２６は放電管に備えられた口金の背面図である。
【図２７】図２７は口金の平面図である。
【図２８】図２８は口金の側面図である。
【図２９】図２９はアース部材の斜視図である。
【図３０】図３０はアース部材に備えられるアース端子の斜視図である。
【図３１】図３１は放電管の口金がストッパと係止する態様を示す断面図である。
【図３２】図３２は実施形態２の照明装置の正面図である。
【図３３】図３３は実施形態２の照明装置の背面図である。
【図３４】図３４は実施形態２の照明装置の正面側斜視図である。
【図３５】図３５は実施形態２の照明装置の背面側斜視図である。
【図３６】図３６は他の実施形態に係る口金の正面側斜視図である。
【図３７】図３７は図３６に示した他の実施形態に係る口金の背面側斜視図である。
【図３８】図３８は図３６の口金を装着したランプの一例を示す第１斜視図である。
【図３９】図３９は図３８のランプの第２斜視図である。
【図４０】図４０は図３６の口金を装着したランプの一変形例を示す第１斜視図である。
【図４１】図４１は図４０のランプの第２斜視図である。
【図４２】図４２は図３６の口金を装着したランプの異なる変形例を示す第１斜視図である。
【図４３】図４３は図４２のランプの第２斜視図である。
【図４４】図４４は電源基板の回路基板に実装する導電部の一変形例を示す模式図である。
【図４５】図４５は電源基板の回路基板に実装する導電部の異なる変形例を示す模式図である。
【図４６】図４６は実施形態３の中継コネクタの背面図である。
【図４７】図４７は実施形態３の中継コネクタの第１斜視図である。
【図４８】図４８は実施形態３の中継コネクタをシャーシに取り付けた状態を示す説明図である。
【図４９】図４９は実施形態３の中継コネクタに電源基板を取り付ける前の状態を示す斜視図である。
【図５０】図５０は実施形態３の中継コネクタに電源基板を取り付ける前の状態を示す平面図である。
【図５１】図５１は実施形態３の中継コネクタに電源基板を取り付ける前の状態を示す斜視図である。
【図５２】図５２は実施形態３の中継コネクタに電源基板を取り付けた後の状態を示す平面図である。
【図５３】図５３は実施形態３の変形例に係る中継コネクタの背面図である。
【図５４】図５４は図５３に示した実施形態３の変形例に係る中継コネクタの第１斜視図である。
【図５５】図５５は図５３及び図５４に示した実施形態３の変形例に係る中継コネクタをシャーシに取り付けた状態を示す説明図である。
【図５６】図５６は実施形態４の中継コネクタの背面図である。
【図５７】図５７は実施形態４の中継コネクタの第１次的使用態様を拡大して示す説明図である。
【図５８】図５８は実施形態４の中継コネクタの第２次的使用態様を拡大して示す説明図である。
【図５９】図５９は実施形態３の中継コネクタが発現する作用効果を示す説明図。
【図６０】図６０は実施形態５の中継コネクタの正面図である。
【図６１】図６１は実施形態５の中継コネクタの背面図である。
【図６２】図６２は実施形態５の中継コネクタの右側面図である。
【図６３】図６３は実施形態５の中継コネクタの左側面図である。
【図６４】図６４は実施形態５の中継コネクタの平面図である。
【図６５】図６５は実施形態５の中継コネクタの底面図である。
【図６６】図６６は実施形態５の中継コネクタにおける中継端子の右側面図である。
【図６７】図６７は実施形態５の中継コネクタにおける中継端子の背面図である。
【図６８】図６８は実施形態５の中継コネクタにおける中継端子の第１斜視図である。
【図６９】図６９は実施形態５の中継コネクタにおける中継端子の第２斜視図である。
【図７０】図７０は図６４のＡ−Ａ断面図である。
【図７１】図７１は図７０における中継コネクタに対し口金を嵌合させた態様を示す図である。
【図７２】図７２は実施形態６のアース部材の正面図である。
【図７３】図７３は実施形態６のアース部材の背面図である。
【図７４】図７４は実施形態６のアース部材の右側面図である。
【図７５】図７５は実施形態６のアース部材の左側面図である。
【図７６】図７６は実施形態６のアース部材の平面図である。
【図７７】図７７は実施形態６のアース部材の底面図である。
【図７８】図７８は実施形態６のアース部材におけるアース端子の右側面図である。
【図７９】図７９は実施形態６のアース部材におけるアース端子の第１斜視図である。
【図８０】図８０は実施形態６のアース部材におけるアース端子の第２斜視図である。
【図８１】図８１は図７６のＢ−Ｂ断面図である。
【図８２】図８２は図８１におけるアース部材に対し口金を嵌合させた態様を示す図である。
【符号の説明】
【００３２】
ＴＶ…テレビ受信装置、Ｄ…表示装置、１０…照明装置、１１…表示パネル、１３…シャーシ、１３Ｈ…取付孔、１４，５１４，６１４，７１４，８１４…中継コネクタ、１５，２１５…放電管、１６…電源基板、１７…回路基板、２０，８２０…ホルダ、２１…箱状部（口金収容部）、２３…収容室（放電管用嵌合部）、２３ａ…受入口、２４…ホルダ壁部、２４ａ…テーパ部、２５…弾性抜止片、２６…係止面、２７，６２７…凸状部（電源基板収容部）、２８…挿入開口部、２８ａ…開口（第１開口部）、２８ｂ…開口部（第２開口部）、２９…張出部、３０，５３０，６３０，７３０，８３０…中継端子、３１…放電管側接続部、３２…弾性挟持片、３３…電源基板側接続部、３４，７３，７４…弾性片部、３４ａ…基端片、３４ｂ…長辺部、３４ｃ…接続片、３４ｄ…突出部、３５…中継部、３６…板状部材、７３ａ，７４ａ…第１次接触部、７３ｂ，７４ｂ…第２次接触部、１３６…口金、１５０，２５０…アース部材、１７１…凹部、１７２…凸部、１７３…導電部（端子部），２５１…ホルダ、２５１ａ…シャーシ当接部、２５２…アース端子、２５３…放電管側接続部、２５４…シャーシ側接続部、２５４ａ…段差部（シャーシ受け面）、２５５…口金受部、２５６…口金収容部、５２１，６２１…ガイド部（傾斜面）、８３５ａ…口金受部、８３５ｂ…口金収容部
【発明を実施するための最良の形態】
【００３３】
＜実施形態１＞
以下、本発明を具体化した実施形態１について図１ないし図３１を参照して説明する。【００３４】
［表示装置Ｄ］
図１は、テレビ受信装置ＴＶの分解斜視図であって、表示装置Ｄと、表示装置Ｄを挟むようにして収容する表裏両キャビネットＣａ，Ｃｂと、主電源Ｐと、チューナーＴと、スタンドＳとを備えて構成されている。このテレビ受信装置ＴＶに用いられる表示装置Ｄは、全体として横長の方形をなし、図２に示すような表示パネル１１と照明装置１０とを備えて構成され、いわゆる液晶表示装置と称されるものである。表示パネル１１は照明装置１０の正面側に配置され、照明装置１０はバックライトとして背面側から表示パネル１１を照射する。なお、図２は表示装置Ｄを模式的にあらわしたものであり、中継コネクタ１４やアース部材１５０、電源基板１６等の形状については、他の図面を参照しつつ詳細に説明する。【００３５】
［表示パネル１１］
表示パネル１１は、透光性のＴＦＴ基板と透光性のＣＦ基板との間に液晶を封入した周知構造のものであり、ＴＦＴ基板には、互いに直交するソース配線とゲート配線とに接続されたスイッチング素子としてのＴＦＴ（Thin Film Transistor）と、当該ＴＦＴに接続された画素電極とが設けられ、ＣＦ基板には、赤（Ｒ），緑（Ｇ），青（Ｂ）の三原色の着色部をマトリックス状に配置したカラーフィルターと、共通電極とが設けられている。【００３６】
［照明装置１０］
照明装置１０は、図３ないし図６に示すような構成を有している。図３は照明装置１０の正面図、図４は照明装置１０の背面図、図５は照明装置１０の正面側斜視図、図６は照明装置１０の背面側斜視図である。
照明装置１０は、ランプユニット１２と電源基板１６とを備えて構成される。ランプユニット１２は、図３に示すように全体として横長方形の板状をなしてランプ収容部材として機能する金属製のシャーシ１３と、シャーシ１３の正面側において上下方向（シャーシ１３の短辺方向）に沿って並列して配置される複数本の放電管（冷陰極管）１５と、シャーシ１３の一方の側縁に沿って各放電管１５と対応するように上下に並べて配置された複数の中継コネクタ１４と、シャーシ１３の他方の側縁に沿って各放電管１５と対応するように上下に並べて配置された複数のアース端子１５２と、を備えている。【００３７】
電源基板１６は、シャーシ１３の裏面側に配置されていて、中継コネクタ１４を介して放電管１５に対して電力供給を行う。シャーシ１３の内面側（正面側）には反射シート１３ａが配設され、各放電管１５の端部と重なる位置において、当該シャーシ１３を正面から背面へ貫通させた形態の略方形をなす複数の取付孔１３Ｈ（図２参照）が形成され、放電管１５の一方の端部側に形成された各取付孔１３Ｈには、それぞれ中継コネクタ１４が貫通して取り付けられている。放電管１５の他方の端部側に形成された各取付孔１３Ｈには、アース部材１５０をシャーシ１３に取り付けるための取付部材が取り付けられている。アース端子１５２を含むアース部材１５０は、取付部材を介してシャーシ１３に取り付けられている。【００３８】
［中継コネクタ１４］
中継コネクタ１４は、図８ないし図１５に示すような構成を有している。図８は中継コネクタ１４の正面図、図９は中継コネクタ１４の背面図、図１０は中継コネクタ１４の右側面図、図１１は中継コネクタ１４の左側面図、図１２は中継コネクタ１４の平面図、図１３は中継コネクタ１４の底面図、図１４は中継コネクタ１４の第１斜視図、図１５は中継コネクタ１４の第２斜視図である。
中継コネクタ１４は、シャーシ１３に設けた取付孔１３Ｈに挿入可能で、当該シャーシ１３に固定可能な構成を有している。具体的には、合成樹脂製のホルダ２０と、ホルダ２０内に収容した金属製の中継端子３０とを有し、ホルダ２０は、中継端子３０のシャーシ１３に対する絶縁を図るとともに、中継コネクタ１４のシャーシ１３への取付を実現している。また、中継端子３０はホルダ２０に取り付けられて電源基板１６と放電管１５との電気的接続を担っており、放電管１５との電気的接続をなす放電管側接続部３１と、電源基板１６との電気的接続をなす電源基板側接続部３３とを有している。【００３９】
まず、中継コネクタ１４のうち、ホルダ２０の構成について説明する。図１６はホルダ２０の背面図、図１７はホルダ２０の側面図、図１８はホルダ２０の斜視図である。なお、その他の方向から見たホルダ２０の構成については、図８ないし図１５を参照する。
ホルダ２０は、シャーシ１３の表面側（放電管１５が形成された側）に配され、全体としてブロック状をなす箱状部（口金収容部）２１と、シャーシ１３の裏面側（電源基板１６が形成された側）に配され、シャーシ１３の取付孔１３Ｈに挿通可能な構成の凸状部（電源基板収容部）２７とから構成される。ホルダ２０には、箱状部２１の外面に沿って、シャーシ１３に対する中継コネクタ１４の組み付け方向と同じ方向へ片持ち状に延出する形態の一対の弾性抜止片２５が形成されている。箱状部２１のシャーシ１３と対向する面には、凸状部２７の側縁に位置する一対の係止面２６が形成されている。この一対の係止面２６はシャーシ１３の表面と平行であって、弾性抜止片２５との間でシャーシ１３を挟持することが可能となっており、シャーシ１３の取付孔１３Ｈに対して凸状部２７を挿入することにより、シャーシ１３に対する中継コネクタ１４（ホルダ２０）の取り付けが可能とされ、係止面２６と弾性抜止片２５によるシャーシ１３の挟持により、当該シャーシ１３に対する中継コネクタ１４（ホルダ２０）の固定が可能となっている。【００４０】
箱状部２１には、放電管１５の端部（口金１３６）を収容すべく２方向に亘って開口する収容室２３が形成されている。収容室２３の開口部のうち正面側（シャーシ１３に取り付けた状態で表示面に対向する側）の開口部は、正面側から放電管１５の端部（口金１３６）を嵌入させるための受入口２３ａとなっており、側面側の開口部は、放電管１５の端部を収容室２３に収容した状態においてガラス管１３４との干渉を回避するための逃がし口２３ｂとなっている。この逃がし口２３ｂには、その開口縁を内側へ張り出した形態の移動規制部２２が形成されている。この移動規制部２２の張出し幅は、口金１３６の本体５１の内径よりも小さい寸法となっている。また、箱状部２１には、箱状部２１のうち逃がし口２３ｂが開口している側面からシャーシ１３と平行に突出する張出部２９が形成されている。この張出部２９は、シャーシ１３の正面と逃がし口２３ｂとの間を仕切るような形態となっている。【００４１】
凸状部２７には、電源基板１６の一部（凸部１７２）の挿入を許容する挿入開口部２８が形成されている。挿入開口部２８は、互いに直行する２方向に面した開口２８ａ，２８ｂを有し、具体的には第１開口部２８ａは電源基板１６と対向する側に、第２開口部２８ｂは隣り合う中継コネクタ１４同士が対向する側に開口している。また、凸状部２７には、挿入開口部２８に架渡されてなるホルダ壁部２４が形成されている。ホルダ壁部２４は、電源基板１６の一部（凹部１７１）と嵌合可能な構成、つまり電源基板１７の一部に嵌め込み可能な構成を有しており、その嵌合により電源基板１６とホルダ２０とが位置決めされ、互いの組み付けが実現される。また、ホルダ壁部２４の両側には、挿入開口部２８に対する電源基板１６の挿入をガイドする先細り状のテーパ部２４ａが形成されている。【００４２】
次に、中継コネクタ１４のうち、中継端子３０の構成について説明する。図１９は中継端子３０の第１斜視図、図２０は中継端子３０の第２斜視図である。なお、その他の方向から見た中継端子３０の構成については、図８ないし図１５を参照する。
中継端子３０は、ホルダ２０に組み付けられている。中継端子３０は、所定形状に打ち抜いた金属板材を曲げ加工したものであって、略円弧形の板片からなる上下一対の弾性挟持片３２によって構成される放電管側接続部３１と、シャーシ１３の背面側へ突出する平板状の電源基板側接続部３３と、これら放電管側接続部３１と電源基板側接続部３３との間に介在する中継部３５とを備えている。【００４３】
放電管側接続部３１は、一対の弾性挟持片３２によって放電管１５の端部（口金１３６）をその弾性力により挟持しつつ、電源基板１６から供給される電力を放電管１５に中継する機能を担っている。これら弾性挟持片３２は、中継部３５の端部からそれぞれ片持ち状に突出した構成をなし、それぞれ中継部３５の板面と直角な方向に板面を有した平板状の挟持片として構成されている。【００４４】
電源基板側接続部３３は、電源基板１６を弾性的に挟持可能な一対の弾性片部３４，３４を有し、この一対の弾性片部３４，３４は、その長手方向がそれぞれ放電管１５の長手方向と交わる方向（ここでは所定の角度を成して、具体的には垂直な方向）に形成されている。具体的には、中継部３５の板面と平行に且つ電源基板１６側に延びる基端片３４ａと、同じく中継部３５及び基端片３４ａの板面と平行に且つ放電管１５の長手方向と交わる方向に延びる長辺部３４ｂ，３４ｂと、放電管１５の長手方向に突出してなる接続片３４ｃ，３４ｃと、により一対の弾性片部３４，３４が構成されている。このように構成された一対の弾性片部３４，３４の間に電源基板１６が嵌め込まれ、つまり、電源基板１６の回路基板１７が一対の弾性片部３４，３４の間に装着される。そして、回路基板１７に形成された導電部１７３（図７参照）と接続片３４ｃとが接触することで、電源基板１６から当該中継端子３０への電気的接続が実現されるようになっている。なお、接続片３４ｃ，３４ｃは、電源基板１６を挟持する方向に突出した突出部３４ｄ，３４ｄを備え、その突出部３４ｄ，３４ｄの頂部が電源基板１６の導電部１７３（図７参照）と接触する。【００４５】
中継部３５は、ホルダ２０内に配される板状部材３６を含み、板状部材３６は、一対の弾性片部３４，３４の長手方向と同一面上の板面を有して構成されている。つまり、中継部３５を構成する板状部材３６は、一対の弾性片部３４，３４の長辺部３４ｂ，３４ｂと同一平面上に板面を有して構成されている。【００４６】
このような中継端子３０は、ホルダ２０に対して図２１及び図２２に示すように組み付けられる。図２１は中継端子３０のホルダ２０に対する組付態様を示す第１斜視図、図２２は中継端子３０のホルダ２０に対する組付態様を示す第２斜視図である。図示したように、ホルダ２０に対して放電管１５の受入口２３ａ側から中継端子３０を図示矢印方向に挿入し、ホルダ２０のホルダ壁部２４側に電源基板側接続部３３の基端片３４ａが位置し、一対の弾性片部３４，３４の接続片３４ｃ，３４ｃが挿入開口部２８の第２開口部２８ｂ側に位置するように、ホルダ２０に対して中継端子３０を組み付ける。これにより、図８ないし図１５に示したように、挿入開口部２８に一対の弾性片部３４，３４が露出した状態の中継コネクタ１４が形成される。【００４７】
かかる中継コネクタ１４をシャーシ１３に組み付ける際には、シャーシ１３の正面側から取付孔１３Ｈにホルダ２０の凸状部２７を差し込み、係止面２６をシャーシ１３の正面における取付孔１３Ｈの開口縁部に当接させる。差込みの過程では、弾性抜止片２５が男性的に収縮しながら取付孔１３Ｈの孔縁に当接し、係止面２６がシャーシ１３の正面に当接すると、取付孔１３Ｈを通過して弾性復帰し、この弾性復帰によって抜止片が、シャーシ１３の背面における取付孔１３Ｈの開口縁部に係止する。これにより、シャーシ１３が係止面２６と弾性抜止片２５とによって挟まれ、ホルダ２０がシャーシ１３に対して組み付け方向（取付孔１３Ｈの貫通方向）への移動を規制された状態に固定され、中継コネクタ１４がシャーシ１３に組み付けられる。中継コネクタ１４がシャーシ１３に組み付けられた状態では、ホルダ２０の箱状部２１がシャーシ１３の正面側へ突出（露出）するとともに、ホルダ２０の凸状部２７がシャーシ１３の背面側へ突出（露出）する。さらに、中継端子３０の弾性片部３４は、長辺部３４ｂの長手方向が放電管１５の長手方向に対して角度を成して形成されている。特に、本実施形態では、弾性片部３４の長手方向は、シャーシ１３の背面に沿って延在し、放電管１５の長手方向と交差するように配されている。【００４８】
［電源基板１６］
電源基板１６は、図７に示すような回路基板１７を有して構成されている。つまり、図２にも示されているように、シャーシ１３に組み付けられた状態で、シャーシ１３と反対側の面に回路が形成された回路基板１７と、回路基板１７の背面に実装された電子部品１９と、を備えている。回路基板１７は、全体として縦長の方形をなし、紙基材フェノール樹脂銅張積層板（紙フェノールと称される）が用いられている。回路基板１７には、中継コネクタ１４（ホルダ２０）のホルダ壁部２４と嵌合する凹部１７１と、中継コネクタ１４（ホルダ２０）の挿入開口部２８に挿入され、一対の弾性片部３４，３４によって挟持される凸部１７２と、中継コネクタ１４の中継端子３０に電力を送出するための導電部（端子部）１７３とが形成されている。【００４９】
この電源基板１６をシャーシ１３に組み付ける態様、つまり回路基板１７を中継コネクタ１４に対して接続させる態様について、図２３及び図２４を参照して説明する。図２３は回路基板１７を中継コネクタ１４に対して接続させる態様について示す説明図、図２４は回路基板１７と中継端子３０との接続関係を示す説明図である。
まず、中継コネクタ１４のホルダ２０に形成されたホルダ壁部２４と、回路基板１７の凹部１７１とを嵌合させるように、つまり凹部１７１内にホルダ壁部２４が入り込むように回路基板１７を中継コネクタ１４に対して位置合わせしつつ、回路基板１７の凸部１７２を中継コネクタ１４のホルダ２０に形成された挿入開口部２８に挿入させる。これによりホルダ壁部２４と凹部１７１との嵌合が行われると、中継コネクタ１４に形成された一対の弾性片部３４，３４により回路基板１７が挟持され、しかも回路基板１７の導電部１７３と弾性片部３４，３４の接続片３４ｃとが対向して、互いに接触するような位置関係が実現される。このとき、図２４に示すように、回路基板１７の端部は一対の弾性片部３４，３４から突出することとなり、つまり高電圧部分となる一対の弾性片部３４，３４が回路基板１７の内側部分に配されることとなる。なお、回路基板１７における導電部１７３の位置は、一対の弾性片部３４，３４により把持される部分、つまり凸部１７２において、その凸部１７２の中心位置から弾性片部３４の長手方向に沿って偏在した位置に配されている。【００５０】
［放電管１５］
放電管１５は、冷陰極線管からなり、図２５から図２８に示すような構成を有している。図２５は放電管１５の全体構成を示す斜視図、図２６は放電管１５に備えられた口金の背面図、図２７は口金の平面図、図２８は口金の側面図である。本実施形態で用いた放電管１５は、全体として細長く円形断面の直線状のガラス管１３４と、ガラス管１３４の両端からガラス管１３４と同軸状に且つ直線状に突出する円形断面の細長い金属製（例えば、ニッケル系、或いはコバルト系の金属）のアウターリード１３５と、ガラス管１３４の両端部に取り付けられる口金１３６とから構成される。ガラス管１３４の内部には水銀が封入され、ガラス管１３４の両端部は、加熱して溶融させることで概ね半球状に形成されている。そして、アウターリード１３５は、この半球部を貫通している。【００５１】
口金１３６は、図２６ないし図２８に示すように、所定の形状に打ち抜かれた金属製（例えば、ステンレス製）の板材に曲げ加工や叩き出し加工を施すことによって形成された単一部品である。口金１３６は、１つの本体１３７と１片の導電片１４０とを備えている。本体１３７は、全体としてガラス管１３４と同心の円筒形をなし、本体１３７の内径はガラス管１３４の外径よりも少し大きい寸法に設定されている。【００５２】
本体１３７には、その一部をスリット状に切欠することによって三対の弾性保持片１３８Ａ，１３８Ｂが周方向において等角度のピッチで配置されるように形成されている。
対をなす弾性保持片１３８Ａ，１３８Ｂのうち一方の第１弾性保持片１３８Ａは、全体として後方へ（詳しくは、やや径方向内向きへ斜め方向に）片持ち状に延出した形態であって、その基端（前端）を支点として径方向に弾性撓みし得るようになっている。第１弾性保持片１３８Ａの延出端部（後端部）には、径方向外側へ斜めに曲げられた屈曲部１３９が形成され、この屈曲部１３９の曲げの外側の面（つまり、内側に臨む面）はガラス管１３４の外周面に当接する接点となっている。この３本の第１弾性保持片１３８Ａの接点を結ぶ仮想円は、本体１３７と同心の円形であり、この仮想円の径寸法は、第１弾性保持片１３８Ａが弾性撓みしていない自由状態のときにガラス管１３４の外径よりも小さい寸法となっている。【００５３】
対をなす弾性保持片１３８Ａ，１３８Ｂのうち他方の第２弾性保持片１３８Ｂは、第１弾性保持片１３８Ａに対して周方向に隣り合うように配置され、全体として第１弾性保持片１３８Ａと逆に前方へ（詳しくは、やや径方向内向きへ斜め方向に）片持ち状に延出した形態となっていて、その基端（後端）を支点として径方向に弾性撓みし得るようになっている。第２弾性保持片１３８Ｂの延出端はガラス管１３４の外周面に当接する接点となっており、この３片の第２弾性保持片１３８Ｂの接点を結ぶ仮想円は、本体１３７と同心の円形であり、この仮想円の径寸法は、第２弾性保持片１３８Ｂが弾性撓みしていない自由状態のときにガラス管１３４の外径よりも小さい寸法となっている。【００５４】
本体１３７には、その端縁から導電片１４０が片持ち状に延出している。導電片１４０は、本体１３７の前端に連なる細長部１４１と、細長部１４１の前端（延出端）から更に前方へ突出する筒状部１４２とからなる。
細長部１４１は、本体１３７に対して面一状であって本体１３７からその軸線と平行に延出する基端部１４１ａと、基端部１４１ａの延出端から本体１３７の軸線に向かって径方向内向きに延出する中間部１４１ｂと、中間部１４１ｂの延出端から本体１３７の軸線と平行に延出する先端部１４１ｃとからなり、先端部１４１ｃの延出端に筒状部１４２が連なっている。細長部１４１の幅寸法は細長部１４１の長さ寸法に対して充分に小さく、したがって、細長部１４１は、本体１３７の径方向への弾性変形、径方向と交差する方向（細長部１４１の長さ方向と交差する方向）への弾性変形、及び細長部１４１自身を軸とする弾性的な捻れ変形が可能となっている。
筒状部１４２は、細長部１４１の延出端から横方向へ張り出した部分を円筒状に曲げ加工したものであり、軸線は概ね本体１３７と同軸状に配置されている。かかる筒状部１４２は、細長部１４１を弾性撓みさせつつ、口金１３６の軸回り方向及び径方向へ変位し得るようになっている。【００５５】
［口金１３６とガラス管１３４の組み付け］
次に、口金１３６をガラス管１３４に組み付ける工程を説明する。
組付けに際しては、ガラス管１３４と口金１３６を、夫々、把持装置（図示せず）で保持した状態で、口金１３６とガラス管１３４とを相対的に同軸にて接近させ、本体１３７をガラス管１３４に外嵌させる。本体１３７が外嵌され始めると、三対の弾性保持片１３８Ａ，１３８Ｂの延出端部の接点がガラス管１３４の外周に対して弾性的に当接し、組付けが進むのに伴って接点がガラス管１３４の外周面上を摺接する。そして、本体１３７を貫通したアウターリード１３５の先端が、筒状部１４２の中空内に進入し始める。この後、双方の把持装置が所定の組付け位置に達すると、口金１３６とガラス管１３４とが軸線方向において正規の組付け位置に位置決めされ、アウターリード１３５の先端部が筒状部１４２で全周に亘って包囲された状態となる。このとき、アウターリード１３５の先端部は、筒状部１４２の先端から大きく突出することがなく、筒状部１４２から僅かに突出するか、筒状部１４２の先端とほぼ同じ位置、若しくは筒状部１４２の内部に位置する。
この後は、筒状部１４２に対して縮径変形させるようにカシメ付けが行われ、カシメ付けられた筒状部１４２とアウターリード１３５とが溶接によって電気的導通可能に固着されて、口金１３６とガラス管１３４とが一体化される。以上により、組付けが完了し、放電管１５が完成する。
口金１３６とガラス管１３４が組み付けられた状態では、三対の弾性保持片１３８Ａ，１３８Ｂによる弾性的な保持作用により本体１３７がガラス管１３４に対してほぼ同心状に保持され、ガラス管１３４の外周と本体１３７の内周との間には、ほぼ全周に亘って隙間（空気層）が確保される。【００５６】
［中継コネクタ１４に対する放電管１５の取付］
上記のようにして製造された放電管１５は、中継コネクタ１４に取り付けられる。取付けに際しては、放電管１５を水平に向けた状態でシャーシ１３の正面に接近させ、ガラス管１３４の両端部と口金１３６を中継コネクタ１４の収容室２３に対して正面側から嵌め込む。このとき、一対の弾性押圧片３２が、口金１３６の本体１３７によって上下に拡開するように弾性撓みさせられ、本体１３７が一対の弾性押圧片３２の最小間隔部分を通過した後は、両弾性押圧片３２が、その弾性復元力によって本体１３７を収容室２３の奥側へ押し込み、本体１３７を収納室２３の底部に当接させ、これにより、中継コネクタ１４に対する放電管１５の取付けが完了し、一方、放電管１５の他方端部ではアース端子１５２に対する取付けが行われる。【００５７】
中継コネクタ１４に取り付けられた放電管１５は、その両端部において一対の弾性押圧片３２に保持され、中継端子３０とこの中継端子３０の取付け母体であるホルダ２０を介してシャーシ１３に取り付けられる。この状態では、放電管１５の重量は、中継コネクタ１４を介してシャーシ１３に作用するだけであり、アウターリード１３５に対して放電管１５の重量が負荷として作用することはない。そして、一対の弾性押圧片３２が本体１３７の外周面に弾性的に接触し、これにより、アウターリード１３５が口金１３６を介して中継端子３０に電気的導通可能に接続される。【００５８】
［アース部材１５０］
アース部材１５０は、図２９ないし図３１に示すような構成を有している。図２９はアース部材の斜視図、図３０はアース部材に備えられるアース端子の斜視図、図３１は放電管１５の口金１３６がストッパと係止する態様を示す断面図である。アース部材１５０は、シャーシ１３の一方の側縁部に沿って取り付けた細長い支持板１５１と、この支持板１５１の正面に導通可能に取り付けられた複数のアース端子１５２とから構成される。支持板１５１には、図３１に示すように各アース端子１５２と対応して３つずつの取付孔１５１Ｈが貫通して形成されている。なお、支持板１５１は、基板や金属板によって構成されている。【００５９】
一方、アース端子１５２は、図３０及び図３１に示すように、所定形状に打ち抜いた金属製の板材に曲げ加工を施したものであって、ベース部１５３と、ベース部１５３の上下両縁部から正面側へ延出する上下対称な一対の弾性押圧片１５４と、ベース部１５３の一方の側縁部から正面側へ延出するストッパ１５５とを備えて構成される。一対の弾性押圧片１５４は、ストッパ１５５とは反対側の側縁部に配置され、相手側の弾性押圧片１５４側へ膨らむように湾曲した形状をなしている。弾性押圧片１５４は、その間隔を拡開するように弾性撓みすることが可能であり、弾性押圧片１５４が弾性撓みしていない状態における一対の弾性押圧片１５４の最小間隔は、放電管１１５のガラス管１３４の外径よりも小さい寸法となっている。【００６０】
ストッパ１５５は、ベース部１５３から放電管１１５の軸線と直角に立ち上がっており、ストッパ１５５には略円弧状に凹んだ形態の凹部１５６が形成されている。本実施形態では、凹部１５６の上下両側におけるベース部１５３からの立ち上がり寸法は小さく抑えられており、アース端子１５２に用いる金属材料の低減が図られている。さらに、ベース部１５３には、３片の脚部１５７が一体形成されている。３片のうち２片の脚部１５７は、弾性押圧片１５４とストッパ１５５との間であって、ベース部１５３の上下両縁部から弾性押圧片１５４及びストッパ１５５とは反対側（裏面側）へ突出しており、残りの１片の脚部１５７は、ベース部１５３におけるストッパ１５５とは反対側の側縁における両弾性押圧片１５４の中間位置から弾性押圧片１５４及びストッパ１５５とは反対側（裏面側）へ突出している。【００６１】
かかるアース端子１５２は、合成樹脂製のハウジング等の部材には収容されておらず、剥き出しの状態のままで、脚部１５７を取付孔１５１Ｈに貫通させて半田付け等により支持板１５１に対して導通可能に固着されている。これにより、１枚の支持板１５１に取り付けられた複数のアース端子１５２は、支持板１５１を介して互いに導通可能に接続されていることになる。また、アース部材１５０には電源基板は接続されておらず、支持板１５１はシャーシに対して導通可能に接続されている。【００６２】
［アース端子１５２に対する放電管１５の取付］
放電管１５をアース端子１５２に取り付ける際には、放電管１５を水平に向けた状態でシャーシ１３の正面に接近させ、ガラス管１３４の端部と口金１３６を上下一対の弾性押圧片１５４の間に正面側から嵌め込む。このとき、一対の弾性押圧片１５４が、口金１３６の本体１３７によって上下に拡開するように弾性撓みさせられ、本体１３７が一対の弾性押圧片１５４の最小間隔部分を通過した後は、両弾性押圧片１５４が、その弾性復元力によって本体１３７をベース部１５３側に押し込み、本体１３７をベース部１５３に当接させ、これにより、アース端子１５２への放電管１５の取付けが完了し、一方、放電管１５の反対側の端部は、上述したように中継コネクタ１４に取り付けられる。【００６３】
シャーシ１３に取り付けられた放電管１５は、その両端部において中継コネクタ１４とアース部材１５０とによって支持される。一対の弾性押圧片１３２，１５４が口金１３６の本体１３７の外周面に弾性的に接触するので、アウターリード１３５が口金１３６を介して中継端子３０とアース端子１５２に電気的導通可能に接続される。【００６４】
［実施形態１の作用効果］
（１）上述のように本実施形態の中継コネクタ１４は、シャーシ１３に組み付けられる絶縁性のホルダ２０と、放電管１５と電源基板１６に対して電気的に接続可能であってホルダ２０に取り付けられた中継端子３０とを備えた形態となっているので、中継端子３０がシャーシ１３と直接接触せずに済む。したがって、シャーシ１３を金属製のものにすることができ、漏電や感電等の不具合発生を防止ないし抑制することが可能となった。【００６５】
（２）また、ホルダ２０が、シャーシ１３の取付孔１３Ｈに貫通されるようになっており、ホルダ２０の外面には、取付孔１３Ｈに対する貫通方向と略平行に延びる弾性撓み可能な弾性抜止片２５と、取付孔１３Ｈに対する貫通方向と略直角な係止面２６とを形成し、シャーシ１３を弾性抜止片２５と係止面２６とで挟むことにより、ホルダ２０をシャーシ１３に固定するようになっている。したがって、ホルダ２０を取付孔１３Ｈに差し込むだけで中継コネクタ１４をシャーシ１３に組み付けることができる。【００６６】
（３）また、収容室２３内において放電管１５と中継端子３０の放電管側接続部３１とを電気的に接続させるようにしたので、放電管１５と中継端子３０との接続部分に対する異物の干渉が防止されている。【００６７】
（４）中継端子３０のうち電源基板１６との電気的接続を可能とする一対の弾性片部３４，３４を、その長手方向が放電管１５の長手方向と交わるように、詳しくは垂直となるように形成した。すなわち、弾性片部３４の長手方向は放電管１５の長手方向に非平行に配され、このような構成により、放電管の長手方向に沿って弾性片部が形成される場合に比して、放電管１５の長手方向に沿ったホルダ２０のサイズが減少する。また、弾性片部３４，３４の長手方向に沿った高電圧部分が、放電管１５の長手方向と交わる方向に形成されることとなり、その結果、放電管１５の長手方向における高電圧部分の面積を小さくすることが可能となった。特に、放電管１５の長手方向と交わる方向（垂直となる方向）は、放電管１５の並列方向であって、中継コネクタ１４（中継端子３０）が並列して形成されることとなり、その並列方向に沿ってそもそも高電圧部分が連設されているため、弾性片部３４，３４の長手方向が、放電管１５の長手方向と交わる方向（垂直となる方向）に指向されたとしても、高電圧部分の大面積化に繋がるものでない。また、放電管１５の長手方向に沿ったホルダ２０のサイズ減少と高電圧部分のサイズ減少により、照明装置１０における周辺領域（額縁領域）の増大を抑制でき、したがって、本実施形態の表示装置Ｄ、ひいてはテレビ受信装置ＴＶでは、周辺領域の高電圧部分が大面積化されないため、その非表示部分（つまり額縁部分）が大面積化することなく、ひいては表示領域の大面積化を実現することが可能となった。【００６８】
（５）中継端子３０の中継部３５について、一対の弾性片部３４，３４の長手方向と同一面上の板面を有した板状部材３６にて構成した。つまり、中継部３５が板状をなし、その板面が、弾性片部３４の長手方向に沿い、弾性片部３４の板面と同一平面上に構成されている。これにより、中継部３５から弾性片部３４，３４に至る構成を最小化することができた。また、このような板状の中継部３５をホルダ２０に配することで、屈曲した部分を有する中継部を採用した場合に比して、これらの構成が簡便化し、さらには中継部３５とホルダ２０との間に形成される隙間を最小化することが可能となったため、粉塵等が中継コネクタ１４を介して電源基板１６側から放電管１５側に侵入する不具合が生じ難いものとなった。【００６９】
（６）中継端子３０について、一対の弾性片部３４，３４により電源基板１６を挟持して電気的接続を可能とした状態で、電源基板１６の端部が一対の弾性片部３４，３４から突出するものとしたため、電源基板の終端部を挟持する場合に比して、弾性片部３４，３４による電源基板１６の挟持を一層確実にでき、これらの電気的接続も一層確実なものとなった。また、高電圧部分が電源基板１６の内側に配されることとなり、すなわち高電圧部分が照明装置１０（電源基板１６）の端部に配されることがないため、漏電ないし感電等が生じ難いものとなった。【００７０】
（７）ホルダ２０について、電源基板１６と嵌合するホルダ壁部２４を有する構成とし、電源基板１６については、ホルダ壁部２４と嵌合する凹部１７１を備えるとともに、ホルダ壁部２４と凹部１７１との嵌合に伴い、一対の弾性片部３４，３４に対する当該電源基板１６の挟持が実現される構成を有するものとした。これにより、電源基板１６の位置決めが容易となり、弾性片部３４，３４に対して直接に位置決めを行うものとしていないため、ホルダ２０（ホルダ壁部２４）に比して薄肉の弾性片部３４，３４が変形する等の不具合が生じ難いものとなった。【００７１】
（８）ホルダ２０について、電源基板１６の挿入を許容する挿入開口部２８を備え、挿入開口部２８は、互いに直行する２方向に面した開口２８ａ，２８ｂを有してなり、ホルダ壁部２４は、挿入開口部２８に架渡されてなる構成としたため、挿入開口部２８に対する電源基板１６（凸部１７２）の挿入がガイドとなって、ホルダ壁部２４と電源基板１６の凹部１７１との嵌合を容易に実現することが可能となった。【００７２】
（９）ホルダ壁部２４について、挿入開口部２８に対する電源基板１６の挿入をガイドする先細り状のテーパ部２４ａを有してなる構成としたため、挿入開口部２８に対する電源基板１６（凸部１７２）の挿入が容易となり、ホルダ壁部２４と電源基板１６の凹部１７１との嵌合を一層容易に実現することが可能となった。【００７３】
＜実施形態２＞
次に、本発明を具体化した実施形態２を図３２ないし図３５を参照して説明する。本実施形態２は、放電管の構成、及び放電管を支持するための構成を上記実施形態１とは異なるものとしたものである。その他の構成については上記実施形態１と同じであるため、同一構成部材については、同一符号を付し、構造、作用及び効果の説明は省略する。【００７４】
本実施形態２のテレビ受信装置ＴＶ（図１参照）は、図３２ないし図３５に示したような構成の照明装置１０Ａを有している。図３２は照明装置１０Ａの正面図、図３３は照明装置１０Ａの背面図、図３４は照明装置１０の正面側斜視図、図３５は照明装置１０の背面側斜視図である。
照明装置１０Ａは、実施形態１と同様、ランプユニット１２と電源基板１６とを備えて構成される。ランプユニット１２は、全体として横長方形の板状をなしてランプ収容部材として機能する金属製のシャーシ１３と、シャーシ１３の正面側において上下方向（シャーシ１３の短辺方向）に沿って並列して配置される複数本のＵ字状の放電管（冷陰極管）２１５と、シャーシ１３の一方の側縁であって、Ｕ字状の放電管２１５のうち口金１３６が設けられた端部側に沿って、各放電管２１５と対応するように上下に並べて配置された複数の中継コネクタ１４と、シャーシ１３の他方の側縁であって、Ｕ字状の放電管２１５のうち口金１３６が設けられていない端部側（つまり放電管２１５のＵ字状に屈曲した側）に沿って、各放電管２１５と対応するように上下に並べて配置された複数のランプクリップ１９０と、を備えている。なお、実施形態１のようなアース部材１５０は設けられていない。【００７５】
放電管２１５は冷陰極管からなり、Ｕ字状のガラス管１３４と、ガラス管１３４の両端部に配された口金１３６と、を備えている。ガラス管１３４の両端部、つまり口金１３６，１３６は、複数の放電管２１５を並列配置した場合に、それぞれが同一線上に位置するように構成されている。言い換えると、Ｕ字状のガラス管１３４は、Ｕ字状に屈曲した部分１３４ａの両端から同一長さのガラス管がそれぞれ平行に延出した構成となっている。【００７６】
ランプクリップ１９０は、シャーシ１３に設けられたクリップ挿通孔（図示略）に挿通され、シャーシ１３の表裏に貫通した状態で取り付けられている。その取付位置は、Ｕ字状の放電管２１５のＵ字状に屈曲した部分１３４ａの手前位置となるように設計され、つまり放電管２１５の屈曲した部分１３４ａの手前位置にクリップ挿通孔が配されている。これによりＵ字状の放電管２１５の２本の長辺部分を把持することが可能となる。なお、ランプクリップ１９０は、断面円形の放電管２１５を把持可能なように一対の弾性片部を備えている。【００７７】
本実施形態２の放電管２１５についても、その端部の口金１３６が中継コネクタ１４に取り付けられることにより、電源基板１６との電気的接続が実現されるものとなっている。【００７８】
＜実施形態３＞
次に、本発明を具体化した実施形態３を図４６ないし図５２を参照して説明する。本実施形態３は、中継コネクタにおけるホルダの構成を上記実施形態１とは異なるものとしたものである。その他の構成については上記実施形態１と同じであるため、同一構成部材については、同一符号を付し、構造、作用及び効果の説明は省略する。【００７９】
本実施形態３のテレビ受信装置ＴＶ（図１参照）は、図４６及び図４７に示したような構成の中継コネクタ５１４を有している。図４６は中継コネクタ５１４の背面図（実施形態１の図９に相当）、図４７は中継コネクタ５１４の要部を視認可能な第１斜視図である。また、図４８は中継コネクタ５１４をシャーシ１３に取り付けた状態を示す説明図であり、図４９〜図５２は中継コネクタ５１４に電源基板１６の回路基板１７を取り付ける態様を示す説明図であって、図４９は取付前の状態を示す斜視図、図５０は取付前の状態を示す平面図、図５１は取付後の状態を示す斜視図、図５２は取付後の状態を示す平面図である。【００８０】
中継コネクタ５１４は、実施形態１と同様、シャーシ１３に設けた取付孔１３Ｈに挿入可能で、当該シャーシ１３に固定可能な構成を有している。具体的には、合成樹脂製のホルダ５２０と、ホルダ５２０内に収容した金属製の中継端子５３０とを有し、ホルダ５２０は、中継コネクタ５１４のシャーシ１３に対する絶縁を図るとともにシャーシ１３への取付を実現している。また、中継端子５３０はホルダ５２０に取り付けられて電源基板１６と放電管１５との電気的接続を担っており、放電管１５との電気的接続をなす放電管側接続部３１と、電源基板１６との電気的接続をなす電源基板側接続部３３とを有している（実施形態１の図１５参照）。【００８１】
この中継コネクタ５１４のうち、中継端子５３０は実施形態１と同様の構成を有しており、ホルダ５２０が実施形態１と異なる構成を有している。
具体的には、ホルダ５２０は、シャーシ１３の表面側（放電管１５が形成された側）に配され、全体としてブロック状をなす箱状部（口金収容部）２１と、シャーシ１３の裏面側（電源基板１６が形成された側）に配され、シャーシ１３の取付孔１３Ｈに挿通可能な構成の凸状部（電源基板収容部）２７とから構成されている。箱状部２１には、放電管１５の端部（口金１３６）を収容すべく２方向に亘って開口する収容室２３が形成されている。【００８２】
凸状部２７には、図４９〜図５２に示すように、電源基板１６の一部（回路基板１７の凸部１７２）の挿入を許容する挿入開口部２８が形成されている。そして、挿入開口部２８の挿入手前側には、挿入開口部２８に対する電源基板１６の挿入をガイドするガイド部５２１が形成されている。ガイド部５２１は、中継コネクタ５１４がシャーシ１３に取り付けられた状態で、シャーシ１３の板面から挿入開口部２８側に傾斜して立ち上がる傾斜面にて構成され、該傾斜面が挿入開口部２８に連通している。電源基板１６を中継コネクタ５１４に組み付ける際には、この傾斜面たるガイド部５２１に回路基板１７を押さえつけつつ、傾斜面に沿って電源基板１６を移動させることで、挿入開口部２８に対して電源基板１６を極めて容易に挿入できるようになっている。【００８３】
挿入開口部２８は、回路基板１７の各板面を挟み込む構成で受け入れを許容しているが、この場合において、ガイド部５２１は、回路基板１７のシャーシ１３と対向する側の板面が宛がわれる構成、つまり図４８に示すように回路基板１７が中継コネクタ５１４に組み付けられた状態で、ガイド部５２１がシャーシ１３側に配設されていることが好ましい。また、同図４８に示すように回路基板１７が中継コネクタ５１４に組み付けられた状態で、ガイド部５２１がシャーシ１３側と、シャーシ側１３とは回路基板１７を挟んで反対の位置側とに配設されている場合には、シャーシ１３側に配設されたガイド部５２１が、シャーシ１３側とは反対の位置側に配設されたガイド部５２２（図４８参照）よりも、その誘導長（傾斜面の長さ）が大きく構成されてなることが好ましい。これは、電源基板１６を中継コネクタ５１４に取り付ける際には、回路基板１７をシャーシ１３側のガイド部に宛がって挿入する方が、シャーシ１３とは反対側のガイド部に宛がって挿入するよりも操作が極めて容易なためである。なお、図５９に示すように、ガイド部５２１を設けることによって、シャーシ１３と高電圧部分（例えば放電管１５の口金１３６や中継端子５３０）の距離Ｘが、ガイド部５２１が設けられていない実施形態１の場合に比して大きく形成される。これにより、高電圧となる放電管１５の直下にある中継端子５３０とシャーシ１３との間に生じ得る放電を一層回避可能な構成となっている。【００８４】
＜実施形態３の変形例＞
実施形態３の中継コネクタ５１４の一変形例に係る中継コネクタ６１４を図５３〜図５５に示す。図５３は中継コネクタ６１４の背面図（図４６に相当）、図５４は中継コネクタ６１４の要部を視認可能な第１斜視図（図４７に相当）である。また、図５５は中継コネクタ６１４をシャーシ１３に取り付けた状態を示す説明図（図４８に相当）である。【００８５】
この中継コネクタ６１４は、中継コネクタ５１４と同様のガイド部６２１を有しているが、電源基板収容部である凸部６２７の構成が中継コネクタ５１４と異なっている。具体的には、凸部６２７のシャーシ１３からの突出嵩が、中継コネクタ５１４よりも大きな構成となっている。そして、樹脂材料で構成される凸部６２７には、その内部に空洞部６２５を形成しており、これにより成形性を低下させることなく突出嵩を稼ぐことが可能となっている。このように中継コネクタ６１４のホルダ６２０は、中継端子６３０の周りを樹脂で取り囲むことで他部材（例えばシャーシ１３）からの絶縁を図っており、中継端子６３０の周り以外の部分は空洞とすることで、良好な成形性を確保しているのである。【００８６】
＜実施形態４＞
次に、本発明を具体化した実施形態４を図５６ないし図５８を参照して説明する。本実施形態４は、中継コネクタにおける中継端子の構成を上記実施形態３とは異なるものとしたものである。その他の構成については上記実施形態３と同じであるため、同一構成部材については、同一符号を付し、構造、作用及び効果の説明は省略する。【００８７】
本実施形態４のテレビ受信装置ＴＶ（図１参照）は、図５６に示したような構成の中継コネクタ７１４を有している。図５６は中継コネクタ７１４の背面図、図５７は中継コネクタ７１４の第１次的使用態様を拡大して示す説明図、図５８は中継コネクタ７１４の経時後の第２次的使用態様を拡大して示す説明図である。【００８８】
中継コネクタ７１４は、中継端子７３０が、図５７及び図５８に示すように、電源基板１６の導電部（端子部）１７３と電気的に接続される弾性片部７３において、第１次的に導電部１７３と接触する第１次接触部７３ａと、経時後、第２次的に導電部１７３と接触する第２次接触部７３ｂとを備えるものとなっている。第１次接触部７３ａと第２次接触部７３ｂは、それぞれ導電部１７３側に突出した形状（Ｍ型形状）を有してなり、第１次接触部７３ａが第２次接触部７３ｂよりも導電部１７３側に大きく突出して構成されている。また、その第１次接触部７３ａが第２次接触部７３ｂよりも突出する突出嵩は、導電部１７３の厚さ３５μｍよりも小さい２５μｍとなっている。なお、本実施形態では、導電部１７３が銅箔にて構成され、弾性片部７３がステンレスにて構成されている。【００８９】
このような構成により、経時変化に伴って生じ得る接触不良等に対して一層好適に耐え得るものとなる。具体的には、図５７に示すように、第１次的には、第１次接触部７３ａが導電部１７３と接触することで、電源基板１６と中継端子７３０との電気的接続がとられている。この場合、第２次接触部７３ｂは導電部１７３とは接触していない。ところが、照明装置１０を継続して使用すると、後退等の理由により、少なくとも導電部１７３と第１次接触部７３ａとが間引きや磨耗を生じ、例えば、第１次接触部７３ａが導電部１７３を削り込むと、図５８に示すように、第１次接触部７３ａは導電部１７３の内部に入り込み、やがては回路基板１７にまで到達し得る。そこで、第２次接触部７３ｂを設けた本実施形態では、第１次接触部７３ａが導電部１７３の内部に所定量入り込んだ際には、第２次接触部７３ｂが第２次的に導電部１７３と接触し、この第２次接触部７３ｂにより電源基板１６と中継端子７３０との電気的接続を確保するものとしている。したがって、例えば第１次接触部７３ａが回路基板１７に到達し、該第１次接触部７３ａによる電源基板１６との電気的接続が不完全なものとなった場合にも、第２次接触部７３ｂにより安定して該電源基板１６との電気的接続を確保できるようになるのである。また、同様に第１次接触部７３ａが回路基板１７に到達した場合には、ガラスエポキシ樹脂等からなる回路基板１７が導電部１７３よりも硬いことから、第２次接触部７３ｂと導電部１７３との磨耗は抑制されることとなる。【００９０】
なお、上記実施形態では、電源基板１６の導電部１７３が回路基板１７の片面側のみに配されているため、弾性片部７３，７４のうち弾性片部７３のみが導電部１７３と接触する構成となっているが、回路基板１７の両面側に導電部１７３が配された構成では、弾性片部７３，７４の双方が導電部１７３と接触することとなる。この場合、第１次的には第１次接触部７３ａ，７４ａが導電部１７３と接触して電気的接続が確保される一方、第２次的には第２次接触部７３ｂ，７４ｂが導電部１７３と接触して電気的接続が確保される。また、上記実施形態では、弾性片部７３（７４）において、２つの接触部７３ａ，７３ｂ（７４ａ，７４ｂ）のうち挿入開口部２８側に相対的に突出嵩の大きい第１次接触部７３ａ（７４ａ）が位置するものとなっている。このように挿入開口部２８側に突出の大きい第１次接触部７３ａを配することで、該第１次接触部７３ａが回路基板１７の挿入をガイドすることとなり、電源基板１６の中継コネクタ７１４に対する組み付けが一層簡便且つ確実なものとなる。【００９１】
＜実施形態５＞
次に、本発明の実施形態５を図６０ないし図７１を参照して説明する。本実施形態５は、中継コネクタにおける中継端子の構成を上記実施形態１とは異なるものとしたものである。その他の構成については上記実施形態１と同じであるため、同一構成部材については、同一符号を付し、構造、作用及び効果の説明は省略する。【００９２】
本実施形態５のテレビ受信装置ＴＶ（図示略）は図１と同様の構成を備え、図６０ないし図６５に示したような構成の中継コネクタ８１４を有している。この中継コネクタ８１４は、実施形態１と同様、シャーシ１３に設けた取付孔１３Ｈに挿入可能で、当該シャーシ１３に固定可能な構成を有している。具体的には、合成樹脂製のホルダ８２０と、ホルダ８２０内に収容した金属製の中継端子８３０とを有し、ホルダ８２０は、中継コネクタ８１４のシャーシ１３に対する絶縁を図るとともにシャーシ１３への取付を実現している。中継端子８３０はホルダ８２０に取り付けられて電源基板１６と放電管１５との電気的接続を担っており、放電管１５との電気的接続をなす放電管側接続部８３１と、電源基板１６との電気的接続をなす電源基板側接続部８３３とを有している。【００９３】
この中継コネクタ８１４のうち、ホルダ８２０は実施形態１と同様の構成を有しており、中継端子８３０が実施形態１と異なる構成を有している。
具体的には、図６６ないし図６９に示すように、放電管側接続部８３１において、放電管１５の口金１３６を支持することが可能なように口金受部８３５ａが形成されており、口金受部８３５ａの手前側（口金を挿入する方向についての手前側）に配された口金収容部８３５ｂに口金１３６が収容されるものとなっている。放電管側接続部８３１は２片の金属片からなり、両者が左右対称に屈曲することで口金収容部８３５ｂが構成されている。つまり、２片の金属片は、口金１３６を口金収容部８３５ｂに誘導すべく先端が外側に広がる誘導部８３５ｃ，８３５ｃと、その誘導部８３５ｃ，８３５ｃから口金収容部８３５ｂ側に至る部分であって、内側に窪んだ状態で口金１３６の口金収容部８３５ｂからの抜けを防止する窪み部８３５ｄ，８３５ｄと、窪み部８３５ｄ，８３５ｄから更に口金収容部８３５ｂ側に至る部分であって、再び外側に膨らむことで口金１３６の収容を許容する膨出部８３５ｅ，８３５ｅと、膨出部８３５ｅ，８３５ｅから板状部８３６側に至る部分であって、再び内側に窪んだ状態で口金１３６の板状部８３６側への侵入を防止する口金受部８３５ａ，８３５ａと、を有しており、このような形状によって口金収容部８３５ｂにおける安定した口金１３６の取り付けと、該口金１３６の板状部８３６ないし電源基板側接続部８３３側への侵入防止とが実現されている（図７０及び図７１参照）。なお、本実施形態では、電源基板側接続部８３３の金属片の長手方向は、放電管１５の長手方向と略一致している。【００９４】
本実施形態の場合、実施形態１とは異なり、金属のみで口金１３６を受けるものとなっているため高温に強く、その結果、放電管１５の大電流駆動が可能となり、輝度向上の他、所定の輝度をより少本数の放電管１５にて実現可能となる。
また、図３２に示すようなＵ字状の放電管１５を利用することが更に望ましい。具体的には、実施形態１で示したようなアース部材１５０は樹脂基板に半田で実装することが多いが、そのようなアース部材１５０は高温に弱く、大電流化に相応しくない。そこで、本実施形態のようにＵ字管を採用すると、アース部材１５０が不要となるため、より安全に大電流化、すなわち大光量を実現し、ランプ少数化、低コスト化が可能となる。【００９５】
＜実施形態６＞
次に、本発明の実施形態６を図７２ないし図８２を参照して説明する。本実施形態６は、アース部材の構成を上記実施形態１とは異なるものとしたものである。その他の構成については上記実施形態１と同じであるため、同一構成部材については、同一符号を付し、構造、作用及び効果の説明は省略する。【００９６】
本実施形態６のテレビ受信装置ＴＶ（図示略）は図１と同様の構成を備え、図７２ないし図７７に示したような構成のアース部材２５０を有している。このアース部材２５０は、シャーシ１３に設けた取付孔１３Ｈに挿入可能で、当該シャーシ１３に固定可能な構成を有している。具体的には、合成樹脂製のホルダ２５１と、ホルダ２５１内に収容した金属製のアース端子２５２とを有し、ホルダ２５１はアース端子２５２を保護する機能を担い、アース端子２５２は放電管１５のシャーシ１３への接地を担っており、放電管１５との電気的接続をなす放電管側接続部２５３と、シャーシ１３との電気的接続をなすシャーシ側接続部２５４とを有している。【００９７】
アース端子２５２は、図７８ないし図８０に示すように、放電管側接続部２５３において、放電管１５の口金１３６を支持することが可能なように口金受部２５５が形成されており、口金受部２５５の手前側（口金を挿入する方向についての手前側）に配された口金収容部２５６に口金１３６が収容されるものとなっている。具体的には、放電管側接続部２５３は２片の金属片からなり、両者が左右対称に屈曲することで口金収容部２５６が構成されている。つまり、２片の金属片は、口金１３６を口金収容部２５６に誘導すべく先端が外側に広がる誘導部２５８ｃ，２５８ｃと、その誘導部２５８ｃ，２５８ｃから口金収容部２５６側に至る部分であって、内側に窪んだ状態で口金１３６の口金収容部２５６からの抜けを防止する窪み部２５８ｄ，２５８ｄと、窪み部２５８ｄ，２５８ｄから更に口金収容部２５６側に至る部分であって、再び外側に膨らむことで口金１３６の収容を許容する膨出部２５８ｅ，２５８ｅと、膨出部２５８ｅ，２５８ｅから板状部２５９側に至る部分であって、再び内側に窪んだ状態で口金１３６の板状部２５９ないしシャーシ側接続部２５４側への侵入を防止する口金受部２５５，２５５と、を有しており、このような形状によって口金収容部２５６における安定した口金１３６の取り付けと、該口金１３６の板状部２５９ないしシャーシ側接続部２５４側への侵入防止とが実現されている（図８１及び図８２参照）。【００９８】
また、シャーシ側接続部２５４は、放電管側接続部２５３ないし板状部２５９（放電管側接続部２５３とシャーシ側接続部２５４とを接続する部分）から連なる一対の片持ち状の板バネにて構成されている。当該板バネは、その弾性変形によりシャーシ１３の取付孔１３Ｈへの挿入が可能とされ、その弾性復帰力により当該板バネが取付孔１３Ｈに対して係止され、アース部材２５０のシャーシ１３に対する取り付けが実現されるものとなっている。また、板バネは、一部が屈曲して段差部２５４ａ，２５４ａを構成しており、その段差部２５４ａ，２５４ａの段差面と、ホルダ２５１に形成されたシャーシ当接面２５１ａ，２５１ａとの間にシャーシ１３が挟まれる構成となっている。【００９９】
本実施形態の場合、アース部材において半田付けを利用しておらず、金属のみで口金１３６を受けるものとなっているため高温に強く、その結果、放電管１５の大電流駆動が可能となり、輝度向上の他、所定の輝度をより少本数の放電管１５にて実現可能となる。また、実施形態５に示した中継コネクタ８１４と併用することで、そのような効果を一層顕著に実現することが可能となる。【０１００】
＜他の実施形態＞
本発明は上記記述及び図面によって説明した実施形態に限定されるものではなく、例えば次のような実施態様も本発明の技術的範囲に含まれる。
（１）放電管としては、冷陰極線管に限らず、熱陰極線管、キセノン管、蛍光灯等を用いてもよい。
（２）表示装置の表示パネルは、スイッチング素子がＴＦＴであるものに限らず、スイッチング素子がＭＩＭ（Metal Insulator Metal）等、ＴＦＴ以外のものであってもよい。
（３）表示装置としては、液晶表示装置に限らず、表示パネルの背面側に照明装置を必要する種々の表示装置が含まれる。
（４）中継コネクタのホルダは、弾性抜止片を用いずに、ビス止めや圧入によってシャーシに固定してもよい。また、ホルダは、シャーシに対して背面側から組み付けるようにしてもよい。
（５）放電管用接続部は、収容室内に配置せず、ホルダの外面に露出する形態であってもよい。【０１０１】
（６）また、上記実施形態１では、図２５〜図２８に示すような放電管１５を用いたが、例えば図３６及び図３７に示した口金２３６を装着した放電管を用いることもできる。
図３６及び図３７に示した口金２３６は、図２６〜図２８に示した口金１３６と同様に、所定の形状に打ち抜かれた金属製（例えば、ステンレス製）の板材に曲げ加工や叩き出し加工を施すことによって形成された単一部品である。なお、口金２３６は、周方向の切欠２４９を入れる点以外は口金１３６と同様の構成であるため、該同様の構成については説明を省略する。
口金２３６は、１つの本体２３７と１片の導電片２４０とを備えている。本体２３７は、全体としてガラス管１３４（図３８等参照）と同心の円筒形をなし、本体２３７の内径はガラス管１３４の外径よりも少し大きい寸法に設定されている。
本体２３７には、その一部を切欠することによって３つの弾性保持片２３８が周方向において等角度のピッチで配置されるように形成されている。この３つの弾性保持片２３８がガラス管１３４の外周面に当接する。
本体２３７には、上記実施形態の口金１３６と同様に、その端縁から導電片２４０が片持ち状に延出している。導電片２４０は、本体２３７の前端に連なる細長部２４１と、細長部２４１の前端（延出端）から更に前方へ突出する筒状部２４２とからなる。
また、本体２３７には、弾性保持片２３８を形成するための切欠（本体２３７の軸方向に延びる切欠）から連続して周方向に延びる切欠２４９が形成されている。円筒の本体２３７を作成する場合、周方向に連続して円筒をなしている部分に関しては該円筒を成形することは容易であるものの、弾性保持片２３８が形成された部分のように切欠が形成された部分に関しては、該円筒を成形することが困難となる。そこで、周方向の切欠２４９を形成することで、該切欠２４９を形成した部分を円筒に合わせた円弧に成形し、本体２３７全体として円筒形状を形成することを容易化することが可能となるのである。なお、特に周方向に隣り合う弾性保持片２３８と弾性保持片２３８との間の距離（周方向の距離）が大きい程、円筒形状を成形することが困難で、そのような場合に切欠２４９による効果が大きいものとなる。
口金２３６は、図３８〜図４３に示したような実施態様で放電管に適用される。
図３８及び図３９に示した放電管３１５は、直線状のガラス管１３４に口金２３６を装着したものである。図４０及び図４１に示した放電管４１５は、Ｕ字状のガラス管２３４に口金２３６を装着したものである。図４２及び図４３に示した放電管５１５は、直線状のガラス管３３４ａ，３３４ｂに対して、一方の端部に口金２３６，２３６を装着したものである。この場合の放電管５１５は、口金２３６を装着した側の端部では、アウターリード１３５，１３５と導電片２４０，２４０とが電気的に接続される一方、反対側の端部では、２本のガラス管３３４ａ，３３４ｂ同士を接続すべく、アウターリード３３５，３３５間を接続部材４３４にて接続している。【０１０２】
（７）また、上記実施形態１では、弾性片部３４の接続片３４ｃに対して、回路基板１７のうちシャーシ１３とは反対側の面に形成された導電部１７３が接触することで、電源基板１６から中継端子３０への電気的接続が実現される態様を示したが（図２３参照）、例えば図４４に示すように、回路基板１７のうちシャーシ１３と対向する側に導電部１７３ａを設けるもの、図４５に示すように、回路基板１７の表裏両面に導電部１７３ｂ，１７３ｃを設けるもの等を採用することもできる。
図４４の構成では、中継端子３０の１つの弾性片部３４の接続片３４ｃは、回路基板１７の一方面の導電部１７３ａと接触し得、図４５の構成では、中継端子３０の２つの弾性片部３４の接続片３４ｃが回路基板１７の表裏両面の導電部１７３ｂ，１７３ｃと接触することができる。
【図１】
2010032664.tif 000003
【図２】
2010032664.tif 000004
【図３】
2010032664.tif 000005
【図４】
2010032664.tif 000006
【図５】
2010032664.tif 000007
【図６】
2010032664.tif 000008
【図７】
2010032664.tif 000009
【図８】
2010032664.tif 000010
【図９】
2010032664.tif 000011
【図１０】
2010032664.tif 000012
【図１１】
2010032664.tif 000013
【図１２】
2010032664.tif 000014
【図１３】
2010032664.tif 000015
【図１４】
2010032664.tif 000016
【図１５】
2010032664.tif 000017
【図１６】
2010032664.tif 000018
【図１７】
2010032664.tif 000019
【図１８】
2010032664.tif 000020
【図１９】
2010032664.tif 000021
【図２０】
2010032664.tif 000022
【図２１】
2010032664.tif 000023
【図２２】
2010032664.tif 000024
【図２３】
2010032664.tif 000025
【図２４】
2010032664.tif 000026
【図２５】
2010032664.tif 000027
【図２６】
2010032664.tif 000028
【図２７】
2010032664.tif 000029
【図２８】
2010032664.tif 000030
【図２９】
2010032664.tif 000031
【図３０】
2010032664.tif 000032
【図３１】
2010032664.tif 000033
【図３２】
2010032664.tif 000034
【図３３】
2010032664.tif 000035
【図３４】
2010032664.tif 000036
【図３５】
2010032664.tif 000037
【図３６】
2010032664.tif 000038
【図３７】
2010032664.tif 000039
【図３８】
2010032664.tif 000040
【図３９】
2010032664.tif 000041
【図４０】
2010032664.tif 000042
【図４１】
2010032664.tif 000043
【図４２】
2010032664.tif 000044
【図４３】
2010032664.tif 000045
【図４４】
2010032664.tif 000046
【図４５】
2010032664.tif 000047
【図４６】
2010032664.tif 000048
【図４７】
2010032664.tif 000049
【図４８】
2010032664.tif 000050
【図４９】
2010032664.tif 000051
【図５０】
2010032664.tif 000052
【図５１】
2010032664.tif 000053
【図５２】
2010032664.tif 000054
【図５３】
2010032664.tif 000055
【図５４】
2010032664.tif 000056
【図５５】
2010032664.tif 000057
【図５６】
2010032664.tif 000058
【図５７】
2010032664.tif 000059
【図５８】
2010032664.tif 000060
【図５９】
2010032664.tif 000061
【図６０】
2010032664.tif 000062
【図６１】
2010032664.tif 000063
【図６２】
2010032664.tif 000064
【図６３】
2010032664.tif 000065
【図６４】
2010032664.tif 000066
【図６５】
2010032664.tif 000067
【図６６】
2010032664.tif 000068
【図６７】
2010032664.tif 000069
【図６８】
2010032664.tif 000070
【図６９】
2010032664.tif 000071
【図７０】
2010032664.tif 000072
【図７１】
2010032664.tif 000073
【図７２】
2010032664.tif 000074
【図７３】
2010032664.tif 000075
【図７４】
2010032664.tif 000076
【図７５】
2010032664.tif 000077
【図７６】
2010032664.tif 000078
【図７７】
2010032664.tif 000079
【図７８】
2010032664.tif 000080
【図７９】
2010032664.tif 000081
【図８０】
2010032664.tif 000082
【図８１】
2010032664.tif 000083
【図８２】
2010032664.tif 000084
【手続補正書】
【提出日】平成23年2月3日(2011.2.3)
【手続補正１】
【補正対象書類名】特許請求の範囲
【補正対象項目名】全文
【補正方法】変更
【補正の内容】
【特許請求の範囲】
【請求項１】
シャーシと、
前記シャーシの第１面側に配された放電管と、
前記シャーシのうち前記放電管が配された側とは反対側に配され、前記放電管に対して電力を供給する電源基板と、
前記シャーシに組み付けられ、前記電源基板と前記放電管との間の電力供給を中継する中継コネクタと、を備え、
前記中継コネクタは、前記シャーシに取り付けられてなる絶縁性のホルダと、前記電源基板と前記放電管に対して電気的に接続可能であって、前記ホルダに取り付けられてなる中継端子と、を備え、
前記中継端子は、前記電源基板を弾性的に挟持することで前記電源基板との電気的接続を可能とする弾性片部を備えるとともに、前記弾性片部は、その長手方向が前記放電管の長手方向に対して角度を成して形成されていることを特徴とする照明装置。
【請求項２】
前記弾性片部は、その長手方向が前記放電管の長手方向に対して概ね垂直な方向に形成されていることを特徴とする請求の範囲第１項に記載の照明装置。
【請求項３】
前記弾性片部は、その長手方向が、前記シャーシの第２面に沿って延在するように形成されていることを特徴とする請求の範囲第１項又は請求の範囲第２項に記載の照明装置。
【請求項４】
前記中継端子は、前記放電管との電気的接続をなす放電管側接続部と、前記電源基板との電気的接続をなす電源基板側接続部と、これら放電管側接続部と電源基板側接続部との間に介在する中継部とを備えてなり、
前記電源基板側接続部が、前記弾性片部を備え、
前記中継部は、前記ホルダ内に配されて板状に構成されており、前記弾性片部の長手方向に沿って形成される当該弾性片部の板面と同一面上の板面を有することを特徴とする請求の範囲第１項から請求の範囲第３項のいずれか１項に記載の照明装置。
【請求項５】
前記弾性片部により前記電源基板を挟持して前記電源基板と前記中継端子との電気的接続を行った状態で、前記電源基板のうち当該電源基板の端部から当該電源基板の内側に偏在した位置を挟持してなることを特徴とする請求の範囲第１項から請求の範囲第４項のいずれか１項に記載の照明装置。
【請求項６】
前記ホルダは、前記電源基板と嵌合するホルダ壁部を有し、
前記電源基板は、前記ホルダ壁部と嵌合する凹部を備えるとともに、前記ホルダ壁部と前記凹部との嵌合に伴い、前記弾性片部に対する挟持が実現される構成を有することを特徴とする請求の範囲第１項から請求の範囲第５項のいずれか１項に記載の照明装置。
【請求項７】
前記ホルダは、前記電源基板の挿入を許容する挿入開口部を備え、
前記挿入開口部は、互いに直行する２方向に開口した開口部を有してなり、
前記ホルダ壁部は、前記挿入開口部に架渡されてなることを特徴とする請求の範囲第６項に記載の照明装置。
【請求項８】
前記ホルダ壁部は、前記挿入開口部に対する前記電源基板の挿入をガイドする先細り状のテーパ部を有してなることを特徴とする請求の範囲第７項に記載の照明装置。
【請求項９】
前記ホルダは、前記挿入開口部の開口手前側に、前記挿入開口部に対する前記電源基板の挿入をガイドするガイド部を備えることを特徴とする請求の範囲第７項又は請求の範囲第８項に記載の照明装置。
【請求項１０】
前記ガイド部は、前記挿入開口部に連なる傾斜面を有することを特徴とする請求の範囲第９項に記載の照明装置。
【請求項１１】
前記ガイド部は、前記電源基板を前記挿入開口部に挿入する際に、前記電源基板の表面のうち前記シャーシと対向する側の表面が、当該ガイド部に沿って移動可能なように配設されてなることを特徴とする請求の範囲第９項又は請求の範囲第１０項に記載の照明装置。
【請求項１２】
前記ガイド部は、第１のガイド部と第２のガイド部とを含み、
前記第１のガイド部は、前記電源基板を前記挿入開口部に挿入する際に、前記電源基板の表面のうち前記シャーシと対向する側の表面が、当該第１のガイド部に沿って移動可能なように配設され、
前記第２のガイド部は、前記電源基板の表面のうち前記シャーシと対向しない側の表面が、当該第２のガイド部に沿って移動可能なように配設されており、
前記第１のガイド部におけるガイド長が、前記第２のガイド部のガイド長よりも、大きく構成されてなることを特徴とする請求の範囲第９項又は請求の範囲第１０項に記載の照明装置。
【請求項１３】
前記電源基板は、その基板の表裏両面において、前記弾性片部に対して電気的に接続される端子部が形成されていることを特徴とする請求の範囲第１項から請求の範囲第１２項のいずれか１項に記載の照明装置。
【請求項１４】
前記電源基板は、前記弾性片部に対して電気的に接続される端子部を備える一方、
前記端子部は、前記電源基板のうち前記弾性片部に把持される部分において、その部分における前記弾性片部の長手方向の中心位置から偏在した位置に配されてなることを特徴とする請求の範囲第１項から請求の範囲第１３項のいずれか１項に記載の照明装置。
【請求項１５】
前記電源基板は、前記弾性片部に対して電気的に接続される端子部を備える一方、
前記端子部と電気的に接続される弾性片部は、第１次的に前記端子部と接触する第１次接触部と、第２次的に前記端子部と接触する第２次接触部とを備え、
前記第２次接触部は、第１次的には前記端子部とは接触せず、前記第１次接触部又は前記端子部の少なくとも一方が後退するに伴って第２次的に前記端子部と接触する構成を有することを特徴とする請求の範囲第１項から請求の範囲第１４項のいずれか１項に記載の照明装置。
【請求項１６】
前記電源基板は、前記弾性片部に対して電気的に接続される端子部を備える一方、
前記端子部と電気的に接続される弾性片部は、第１次的に前記端子部と接触する第１次接触部と、第２次的に前記端子部と接触する第２次接触部とを備え、
前記第２次接触部は、第１次的には前記端子部とは接触せず、前記第１次接触部又は前記端子部の少なくとも一方が薄肉化するに伴って第２次的に前記端子部と接触する構成を有することを特徴とする請求の範囲第１項から請求の範囲第１４項のいずれか１項に記載の照明装置。
【請求項１７】
前記電源基板は、前記弾性片部に対して電気的に接続される端子部を備える一方、
前記端子部と電気的に接続される弾性片部は、第１次的に前記端子部と接触する第１次接触部と、第２次的に前記端子部と接触する第２次接触部とを備え、
前記第２次接触部は、第１次的には前記端子部とは接触せず、前記第１次接触部又は前記端子部の少なくとも一方が磨耗するに伴って第２次的に前記端子部と接触する構成を有することを特徴とする請求の範囲第１項から請求の範囲第１４項のいずれか１項に記載の照明装置。
【請求項１８】
前記電源基板は、前記弾性片部に対して電気的に接続される端子部を備える一方、
前記端子部と電気的に接続される弾性片部は、第１次的に前記端子部と接触する第１次接触部と、第２次的に前記端子部と接触する第２次接触部とを備え、
前記第２次接触部は、第１次的には前記端子部とは接触せず、前記端子部が磨耗するに伴って第２次的に前記端子部と接触する構成を有することを特徴とする請求の範囲第１項から請求の範囲第１４項のいずれか１項に記載の照明装置。
【請求項１９】
前記第１次接触部と前記第２次接触部は、それぞれ前記端子部側に突出した形状を有してなり、前記第１次接触部が前記第２次接触部よりも前記端子部側に大きく突出してなることを特徴とする請求の範囲第１５項から請求の範囲第１８項のいずれか１項に記載の照明装置。
【請求項２０】
前記第１次接触部が前記第２次接触部よりも突出する突出嵩は、前記端子部の厚さよりも小さいことを特徴とする請求の範囲第１９項に記載の照明装置。
【請求項２１】
前記弾性片部がステンレスからなることを特徴とする請求の範囲第１項から請求の範囲第２０項のいずれか１項に記載の照明装置。
【請求項２２】
シャーシの正面側に配置される放電管に対し、前記シャーシの背面側に配置される電源基板からの電力を供給するための中継コネクタであって、
前記シャーシに組み付けられてなる絶縁性のホルダと、前記放電管と前記電源基板に対して電気的に接続可能であって、前記ホルダに取り付けられてなる中継端子とを備え、
前記中継端子は、前記電源基板を弾性的に挟持することで前記電源基板との電気的接続を可能とする弾性片部を備え、
前記弾性片部は、その長手方向が前記放電管の長手方向に対して角度を成すように構成されてなることを特徴とする中継コネクタ。
【請求項２３】
前記弾性片部は、その長手方向が前記放電管の長手方向に対して垂直となるように構成されてなることを特徴とする請求の範囲第２２項に記載の中継コネクタ。
【請求項２４】
前記弾性片部は、その長手方向が、前記シャーシの背面に沿って延在するように形成されていることを特徴とする請求の範囲第２２項又は請求の範囲第２３項に記載の中継コネクタ。
【請求項２５】
前記中継端子は、前記放電管との電気的接続をなす放電管側接続部と、前記電源基板との電気的接続をなす電源基板側接続部と、これら放電管側接続部と電源基板側接続部との間に介在する中継部とを備えてなり、
前記電源基板側接続部は、前記弾性片部を備えるとともに、
前記中継部は、前記ホルダ内に配されて板状に構成されており、前記弾性片部の長手方向に沿って形成される当該弾性片部の板面と同一面上の板面を有することを特徴とする請求の範囲第２２項から請求の範囲第２４項に記載の中継コネクタ。
【請求項２６】
前記ホルダは、前記電源基板と嵌合可能なホルダ壁部を有し、前記ホルダ壁部と前記電源基板に設けられた凹部との嵌合に伴い、前記弾性片部に対する前記電源基板の挟持が実現される構成を有することを特徴とする請求の範囲第２２項から請求の範囲第２５項のいずれか１項に記載の中継コネクタ。
【請求項２７】
前記ホルダは、前記電源基板の挿入を許容する挿入開口部を備え、
前記挿入開口部は、互いに直行する２方向に開口した開口部を有してなり、
前記ホルダ壁部は、前記挿入開口部に架渡されてなることを特徴とする請求の範囲第２６項に記載の中継コネクタ。
【請求項２８】
前記ホルダ壁部は、前記挿入開口部に対する前記電源基板の挿入をガイドする先細り状のテーパ部を有してなることを特徴とする請求の範囲第２７項に記載の中継コネクタ。
【請求項２９】
前記ホルダは、前記挿入開口部の開口手前側に、前記挿入開口部に対する前記電源基板の挿入をガイドするガイド部を備えることを特徴とする請求の範囲第２７項又は請求の範囲第２８項に記載の中継コネクタ。
【請求項３０】
前記ガイド部は、前記挿入開口部に連なる傾斜面を有することを特徴とする請求の範囲第２９項に記載の中継コネクタ。
【請求項３１】
前記ガイド部は、前記電源基板を前記挿入開口部に挿入する際に、前記電源基板の表面のうち前記シャーシと対向する側の表面が、当該ガイド部に沿って移動可能なように配設されてなることを特徴とする請求の範囲第２９項又は請求の範囲第３０項に記載の中継コネクタ。
【請求項３２】
前記ガイド部は、第１のガイド部と第２のガイド部とを含み、
前記第１のガイド部は、前記電源基板を前記挿入開口部に挿入する際に、前記電源基板の表面のうち前記シャーシと対向する側の表面が、当該第１のガイド部に沿って移動可能なように配設され、
前記第２のガイド部は、前記電源基板の表面のうち前記シャーシと対向しない側の表面が、当該第２のガイド部に沿って移動可能なように配設されており、
前記第１のガイド部におけるガイド長が、前記第２のガイド部のガイド長よりも、大きく構成されてなることを特徴とする請求の範囲第２９項又は請求の範囲第３０項に記載の中継コネクタ。
【請求項３３】
前記弾性片部は、前記電源基板の端子部と電気的に接続されるものであって、第１次的に前記端子部と接触する第１次接触部と、第２次的に前記端子部と接触する第２次接触部とを備え、
前記第２次接触部は、第１次的には前記端子部とは接触せず、前記第１次接触部又は前記端子部の少なくとも一方が後退するに伴って第２次的に前記端子部と接触する構成を有することを特徴とする請求の範囲第２２項から請求の範囲第３２項のいずれか１項に記載の中継コネクタ。
【請求項３４】
前記弾性片部は、前記電源基板の端子部と電気的に接続されるものであって、第１次的に前記端子部と接触する第１次接触部と、第２次的に前記端子部と接触する第２次接触部とを備え、
前記第２次接触部は、第１次的には前記端子部とは接触せず、前記第１次接触部又は前記端子部の少なくとも一方が薄肉化するに伴って第２次的に前記端子部と接触する構成を有することを特徴とする請求の範囲第２２項から請求の範囲第３２項のいずれか１項に記載の中継コネクタ。
【請求項３５】
前記弾性片部は、前記電源基板の端子部と電気的に接続されるものであって、第１次的に前記端子部と接触する第１次接触部と、第２次的に前記端子部と接触する第２次接触部とを備え、
前記第２次接触部は、第１次的には前記端子部とは接触せず、前記第１次接触部又は前記端子部の少なくとも一方が磨耗するに伴って第２次的に前記端子部と接触する構成を有することを特徴とする請求の範囲第２２項から請求の範囲第３２項のいずれか１項に記載の中継コネクタ。
【請求項３６】
前記弾性片部は、前記電源基板の端子部と電気的に接続されるものであって、第１次的に前記端子部と接触する第１次接触部と、第２次的に前記端子部と接触する第２次接触部とを備え、
前記第２次接触部は、第１次的には前記端子部とは接触せず、前記端子部が磨耗するに伴って第２次的に前記端子部と接触する構成を有することを特徴とする請求の範囲第２２項から請求の範囲第３２項のいずれか１項に記載の中継コネクタ。
【請求項３７】
前記第１次接触部と前記第２次接触部は、それぞれ前記端子部側に突出した形状を有してなり、前記第１次接触部が前記第２次接触部よりも前記端子部側に大きく突出してなることを特徴とする請求の範囲第３３項から請求の範囲第３６項のいずれか１項に記載の中継コネクタ。
【請求項３８】
前記第１次接触部が前記第２次接触部よりも突出する突出嵩は、前記端子部の厚さよりも小さいことを特徴とする請求の範囲第３７項に記載の中継コネクタ。
【請求項３９】
請求の範囲第１項から請求の範囲第２１項のいずれか１項に記載の照明装置と、前記照明装置からの光を利用して表示を行う表示パネルと、を備えることを特徴とする表示装置。
【請求項４０】
前記表示パネルが液晶を用いた液晶パネルであることを特徴とする請求の範囲第３９項に記載の表示装置。
【請求項４１】
請求の範囲第３９項又は請求の範囲第４０項に記載の表示装置を備えることを特徴とするテレビ受信装置。
【手続補正２】
【補正対象書類名】明細書
【補正対象項目名】００３１
【補正方法】変更
【補正の内容】
【００３１】
【図１】図１は実施形態１におけるテレビ受信装置の分解斜視図である。
【図２】図２は表示装置の水平断面図である。
【図３】図３は照明装置の正面図である。
【図４】図４は照明装置の背面図である。
【図５】図５は照明装置の正面側斜視図である。
【図６】図６は照明装置の背面側斜視図である。
【図７】図７は電源基板のうちの回路基板の斜視図である。
【図８】図８は中継コネクタの正面図である。
【図９】図９は中継コネクタの背面図である。
【図１０】図１０は中継コネクタの右側面図である。
【図１１】図１１は中継コネクタの左側面図である。
【図１２】図１２は中継コネクタの平面図である。
【図１３】図１３は中継コネクタの底面図である。
【図１４】図１４は中継コネクタの第１斜視図である。
【図１５】図１５は中継コネクタの第２斜視図である。
【図１６】図１６はホルダの背面図である。
【図１７】図１７はホルダの側面図である。
【図１８】図１８はホルダの斜視図である。
【図１９】図１９は中継端子の第１斜視図である。
【図２０】図２０は中継端子の第２斜視図である。
【図２１】図２１は中継端子のホルダに対する組付態様を示す第１斜視図である。
【図２２】図２２は中継端子のホルダに対する組付態様を示す第２斜視図である。
【図２３】図２３は回路基板を中継コネクタに対して接続させる態様について示す説明図である。
【図２４】図２４は回路基板と中継端子との接続関係を示す説明図である。
【図２５】図２５は放電管の全体構成を示す斜視図である。
【図２６】図２６は放電管に備えられた口金の背面図である。
【図２７】図２７は口金の平面図である。
【図２８】図２８は口金の側面図である。
【図２９】図２９はアース部材の斜視図である。
【図３０】図３０はアース部材に備えられるアース端子の斜視図である。
【図３１】図３１は放電管の口金がストッパと係止する態様を示す断面図である。
【図３２】図３２は実施形態２の照明装置の正面図である。
【図３３】図３３は実施形態２の照明装置の背面図である。
【図３４】図３４は実施形態２の照明装置の正面側斜視図である。
【図３５】図３５は実施形態２の照明装置の背面側斜視図である。
【図３６】図３６は他の実施形態に係る口金の正面側斜視図である。
【図３７】図３７は図３６に示した他の実施形態に係る口金の背面側斜視図である。
【図３８】図３８は図３６の口金を装着したランプの一例を示す第１斜視図である。
【図３９】図３９は図３８のランプの第２斜視図である。
【図４０】図４０は図３６の口金を装着したランプの一変形例を示す第１斜視図である。
【図４１】図４１は図４０のランプの第２斜視図である。
【図４２】図４２は図３６の口金を装着したランプの異なる変形例を示す第１斜視図である。
【図４３】図４３は図４２のランプの第２斜視図である。
【図４４】図４４は電源基板の回路基板に実装する導電部の一変形例を示す模式図である。
【図４５】図４５は電源基板の回路基板に実装する導電部の異なる変形例を示す模式図である。
【図４６】図４６は実施形態３の中継コネクタの背面図である。
【図４７】図４７は実施形態３の中継コネクタの第１斜視図である。
【図４８】図４８は実施形態３の中継コネクタをシャーシに取り付けた状態を示す説明図である。
【図４９】図４９は実施形態３の中継コネクタに電源基板を取り付ける前の状態を示す斜視図である。
【図５０】図５０は実施形態３の中継コネクタに電源基板を取り付ける前の状態を示す平面図である。
【図５１】図５１は実施形態３の中継コネクタに電源基板を取り付ける後の状態を示す斜視図である。
【図５２】図５２は実施形態３の中継コネクタに電源基板を取り付けた後の状態を示す平面図である。
【図５３】図５３は実施形態３の変形例に係る中継コネクタの背面図である。
【図５４】図５４は図５３に示した実施形態３の変形例に係る中継コネクタの第１斜視図である。
【図５５】図５５は図５３及び図５４に示した実施形態３の変形例に係る中継コネクタをシャーシに取り付けた状態を示す説明図である。
【図５６】図５６は実施形態４の中継コネクタの背面図である。
【図５７】図５７は実施形態４の中継コネクタの第１次的使用態様を拡大して示す説明図である。
【図５８】図５８は実施形態４の中継コネクタの第２次的使用態様を拡大して示す説明図である。
【図５９】図５９は実施形態３の中継コネクタが発現する作用効果を示す説明図。
【図６０】図６０は実施形態５の中継コネクタの正面図である。
【図６１】図６１は実施形態５の中継コネクタの背面図である。
【図６２】図６２は実施形態５の中継コネクタの右側面図である。
【図６３】図６３は実施形態５の中継コネクタの左側面図である。
【図６４】図６４は実施形態５の中継コネクタの平面図である。
【図６５】図６５は実施形態５の中継コネクタの底面図である。
【図６６】図６６は実施形態５の中継コネクタにおける中継端子の右側面図である。
【図６７】図６７は実施形態５の中継コネクタにおける中継端子の背面図である。
【図６８】図６８は実施形態５の中継コネクタにおける中継端子の第１斜視図である。
【図６９】図６９は実施形態５の中継コネクタにおける中継端子の第２斜視図である。
【図７０】図７０は図６４のＡ−Ａ断面図である。
【図７１】図７１は図７０における中継コネクタに対し口金を嵌合させた態様を示す図である。
【図７２】図７２は実施形態６のアース部材の正面図である。
【図７３】図７３は実施形態６のアース部材の背面図である。
【図７４】図７４は実施形態６のアース部材の右側面図である。
【図７５】図７５は実施形態６のアース部材の左側面図である。
【図７６】図７６は実施形態６のアース部材の平面図である。
【図７７】図７７は実施形態６のアース部材の底面図である。
【図７８】図７８は実施形態６のアース部材におけるアース端子の右側面図である。
【図７９】図７９は実施形態６のアース部材におけるアース端子の第１斜視図である。
【図８０】図８０は実施形態６のアース部材におけるアース端子の第２斜視図である。
【図８１】図８１は図７６のＢ−Ｂ断面図である。
【図８２】図８２は図８１におけるアース部材に対し口金を嵌合させた態様を示す図である。
【手続補正３】
【補正対象書類名】明細書
【補正対象項目名】００４０
【補正方法】変更
【補正の内容】
【００４０】
箱状部２１には、放電管１５の端部（口金１３６）を収容すべく２方向に亘って開口する収容室２３が形成されている。収容室２３の開口部のうち正面側（シャーシ１３に取り付けた状態で表示面に対向する側）の開口部は、正面側から放電管１５の端部（口金１３６）を嵌入させるための受入口２３ａとなっており、側面側の開口部は、放電管１５の端部を収容室２３に収容した状態においてガラス管１３４との干渉を回避するための逃がし口２３ｂとなっている。この逃がし口２３ｂには、その開口縁を内側へ張り出した形態の移動規制部２２が形成されている。この移動規制部２２の張出し幅は、口金１３６の本体１３７の内径よりも小さい寸法となっている。また、箱状部２１には、箱状部２１のうち逃がし口２３ｂが開口している側面からシャーシ１３と平行に突出する張出部２９が形成されている。この張出部２９は、シャーシ１３の正面と逃がし口２３ｂとの間を仕切るような形態となっている。
【手続補正４】
【補正対象書類名】明細書
【補正対象項目名】００４１
【補正方法】変更
【補正の内容】
【００４１】
凸状部２７には、電源基板１６の一部（凸部１７２）の挿入を許容する挿入開口部２８が形成されている。挿入開口部２８は、互いに直行する２方向に面した開口２８ａ，２８ｂを有し、具体的には第１開口部２８ａは電源基板１６と対向する側に、第２開口部２８ｂは隣り合う中継コネクタ１４同士が対向する側に開口している。また、凸状部２７には、挿入開口部２８に架渡されてなるホルダ壁部２４が形成されている。ホルダ壁部２４は、電源基板１６の一部（凹部１７１）と嵌合可能な構成、つまり電源基板１６の一部に嵌め込み可能な構成を有しており、その嵌合により電源基板１６とホルダ２０とが位置決めされ、互いの組み付けが実現される。また、ホルダ壁部２４の両側には、挿入開口部２８に対する電源基板１６の挿入をガイドする先細り状のテーパ部２４ａが形成されている。
【手続補正５】
【補正対象書類名】明細書
【補正対象項目名】００４７
【補正方法】変更
【補正の内容】
【００４７】
かかる中継コネクタ１４をシャーシ１３に組み付ける際には、シャーシ１３の正面側から取付孔１３Ｈにホルダ２０の凸状部２７を差し込み、係止面２６をシャーシ１３の正面における取付孔１３Ｈの開口縁部に当接させる。差込みの過程では、弾性抜止片２５が弾性的に収縮しながら取付孔１３Ｈの孔縁に当接し、係止面２６がシャーシ１３の正面に当接すると、取付孔１３Ｈを通過して弾性復帰し、この弾性復帰によって抜止片が、シャーシ１３の背面における取付孔１３Ｈの開口縁部に係止する。これにより、シャーシ１３が係止面２６と弾性抜止片２５とによって挟まれ、ホルダ２０がシャーシ１３に対して組み付け方向（取付孔１３Ｈの貫通方向）への移動を規制された状態に固定され、中継コネクタ１４がシャーシ１３に組み付けられる。中継コネクタ１４がシャーシ１３に組み付けられた状態では、ホルダ２０の箱状部２１がシャーシ１３の正面側へ突出（露出）するとともに、ホルダ２０の凸状部２７がシャーシ１３の背面側へ突出（露出）する。さらに、中継端子３０の弾性片部３４は、長辺部３４ｂの長手方向が放電管１５の長手方向に対して角度を成して形成されている。特に、本実施形態では、弾性片部３４の長手方向は、シャーシ１３の背面に沿って延在し、放電管１５の長手方向と交差するように配されている。
【手続補正６】
【補正対象書類名】明細書
【補正対象項目名】００５６
【補正方法】変更
【補正の内容】
【００５６】
［中継コネクタ１４に対する放電管１５の取付］
上記のようにして製造された放電管１５は、中継コネクタ１４に取り付けられる。取付けに際しては、放電管１５を水平に向けた状態でシャーシ１３の正面に接近させ、ガラス管１３４の端部と口金１３６を中継コネクタ１４の収容室２３に対して正面側から嵌め込む。このとき、一対の弾性押圧片３２が、口金１３６の本体１３７によって上下に拡開するように弾性撓みさせられ、本体１３７が一対の弾性押圧片３２の最小間隔部分を通過した後は、両弾性押圧片３２が、その弾性復元力によって本体１３７を収容室２３の奥側へ押し込み、本体１３７を収納室２３の底部に当接させ、これにより、中継コネクタ１４に対する放電管１５の取付けが完了し、一方、放電管１５の他方端部ではアース端子１５２に対する取付けが行われる。
【手続補正７】
【補正対象書類名】明細書
【補正対象項目名】００５７
【補正方法】変更
【補正の内容】
【００５７】
中継コネクタ１４に取り付けられた放電管１５は、その端部において一対の弾性押圧片３２に保持され、中継端子３０とこの中継端子３０の取付け母体であるホルダ２０を介してシャーシ１３に取り付けられる。この状態では、放電管１５の重量は、中継コネクタ１４を介してシャーシ１３に作用するだけであり、アウターリード１３５に対して放電管１５の重量が負荷として作用することはない。そして、一対の弾性押圧片３２が本体１３７の外周面に弾性的に接触し、これにより、アウターリード１３５が口金１３６を介して中継端子３０に電気的導通可能に接続される。
【手続補正８】
【補正対象書類名】明細書
【補正対象項目名】００５９
【補正方法】変更
【補正の内容】
【００５９】
一方、アース端子１５２は、図３０及び図３１に示すように、所定形状に打ち抜いた金属製の板材に曲げ加工を施したものであって、ベース部１５３と、ベース部１５３の上下両縁部から正面側へ延出する上下対称な一対の弾性押圧片１５４と、ベース部１５３の一方の側縁部から正面側へ延出するストッパ１５５とを備えて構成される。一対の弾性押圧片１５４は、ストッパ１５５とは反対側の側縁部に配置され、相手側の弾性押圧片１５４側へ膨らむように湾曲した形状をなしている。弾性押圧片１５４は、その間隔を拡開するように弾性撓みすることが可能であり、弾性押圧片１５４が弾性撓みしていない状態における一対の弾性押圧片１５４の最小間隔は、放電管１５のガラス管１３４の外径よりも小さい寸法となっている。
【手続補正９】
【補正対象書類名】明細書
【補正対象項目名】００６０
【補正方法】変更
【補正の内容】
【００６０】
ストッパ１５５は、ベース部１５３から放電管１５の軸線と直角に立ち上がっており、ストッパ１５５には略円弧状に凹んだ形態の凹部１５６が形成されている。本実施形態では、凹部１５６の上下両側におけるベース部１５３からの立ち上がり寸法は小さく抑えられており、アース端子１５２に用いる金属材料の低減が図られている。さらに、ベース部１５３には、３片の脚部１５７が一体形成されている。３片のうち２片の脚部１５７は、弾性押圧片１５４とストッパ１５５との間であって、ベース部１５３の上下両縁部から弾性押圧片１５４及びストッパ１５５とは反対側（裏面側）へ突出しており、残りの１片の脚部１５７は、ベース部１５３におけるストッパ１５５とは反対側の側縁における両弾性押圧片１５４の中間位置から弾性押圧片１５４及びストッパ１５５とは反対側（裏面側）へ突出している。
【手続補正１０】
【補正対象書類名】明細書
【補正対象項目名】００６３
【補正方法】変更
【補正の内容】
【００６３】
シャーシ１３に取り付けられた放電管１５は、その両端部において中継コネクタ１４とアース部材１５０とによって支持される。一対の弾性押圧片３２，１５４が口金１３６の本体１３７の外周面に弾性的に接触するので、アウターリード１３５が口金１３６を介して中継端子３０とアース端子１５２に電気的導通可能に接続される。
【手続補正１１】
【補正対象書類名】明細書
【補正対象項目名】００７４
【補正方法】変更
【補正の内容】
【００７４】
本実施形態２のテレビ受信装置ＴＶ（図１参照）は、図３２ないし図３５に示したような構成の照明装置１０Ａを有している。図３２は照明装置１０Ａの正面図、図３３は照明装置１０Ａの背面図、図３４は照明装置１０Ａの正面側斜視図、図３５は照明装置１０Ａの背面側斜視図である。
照明装置１０Ａは、実施形態１と同様、ランプユニット１２と電源基板１６とを備えて構成される。ランプユニット１２は、全体として横長方形の板状をなしてランプ収容部材として機能する金属製のシャーシ１３と、シャーシ１３の正面側において上下方向（シャーシ１３の短辺方向）に沿って並列して配置される複数本のＵ字状の放電管（冷陰極管）２１５と、シャーシ１３の一方の側縁であって、Ｕ字状の放電管２１５のうち口金１３６が設けられた端部側に沿って、各放電管２１５と対応するように上下に並べて配置された複数の中継コネクタ１４と、シャーシ１３の他方の側縁であって、Ｕ字状の放電管２１５のうち口金１３６が設けられていない端部側（つまり放電管２１５のＵ字状に屈曲した側）に沿って、各放電管２１５と対応するように上下に並べて配置された複数のランプクリップ１９０と、を備えている。なお、実施形態１のようなアース部材１５０は設けられていない。
【国際調査報告】
2010032664.tif 000085
2010032664.tif 000086